(57)【特許請求の範囲】
【請求項１】
ユーザ識別情報、ユーザプロファイル情報、コンテンツ及びコンテンツプロファイル情報が相互に関連付けられて端末ごとに登録されている記憶部と、
第１端末から、第１端末のユーザ識別情報と、第１端末が近距離無線通信により第２端末から受信した第２端末のユーザ識別情報とを受信する通信部と、
前記受信した第１端末のユーザ識別情報に関連付けられた第１端末のコンテンツプロファイル情報と前記受信した第２端末のユーザ識別情報に関連付けられた第２端末のユーザプロファイル情報とが一致するか否かを判定するコンテンツプロファイル判定部と、
前記第１端末のコンテンツプロファイル情報と前記第２端末のユーザプロファイル情報とが一致した場合、当該第１端末のコンテンツプロファイル情報に関連付けられたコンテンツを第２端末が取得できるように設定するコンテンツ管理部と、
を有することを特徴とするサーバ。
【請求項２】
第２端末から、第１端末のコンテンツを取得することを要求する取得要求信号を受信すると、当該コンテンツが第２端末が取得できるように設定されている場合に限り、当該コンテンツを第２端末に送信するコンテンツ送信部をさらに有する、請求項１に記載のサーバ。
【請求項３】
前記コンテンツ管理部は、第２端末のコンテンツプロファイル情報として第１端末のコンテンツプロファイル情報を登録することにより、当該第１端末のコンテンツプロファイル情報に関連付けられたコンテンツを第２端末が取得できるように設定し、
前記通信部は、第２端末から、第２端末のユーザ識別情報と、第２端末が近距離無線通信により第３端末から受信した第３端末のユーザ識別情報とをさらに受信し、
前記コンテンツプロファイル判定部は、第２端末のコンテンツプロファイル情報と第３端末のユーザプロファイル情報とが一致するか否かをさらに判定し、
前記コンテンツ管理部は、さらに、第２端末のコンテンツプロファイル情報と第３端末のユーザプロファイル情報とが一致した場合、当該第２端末のコンテンツプロファイル情報に関連付けられたコンテンツを第３端末が取得できるように設定する、請求項１または２に記載のサーバ。
【請求項４】
第１端末のユーザプロファイル情報と第２端末のユーザプロファイル情報とが一致するか否かを判定するユーザプロファイル判定部と、
第１端末のユーザプロファイル情報と第２端末のユーザプロファイル情報とが一致している場合、第１端末のユーザプロファイル情報と第２端末のユーザプロファイル情報とが一致していることを示す一致情報を第１端末に送信する結果信号送信部と、
第１端末から、第２端末のユーザと友人関係になることを要求する友人関係要求信号を受信すると、前記友人関係要求信号を第２端末に送信し、前記友人関係要求信号に応答して、第２端末のユーザが友人関係になることを許可したことを示す許可信号を第２端末から受信すると、第１端末のユーザと第２端末のユーザの間に友人関係を設定する友人関係管理部と、をさらに有する、請求項１〜３の何れか一項に記載のサーバ。
【請求項５】
前記コンテンツ管理部は、第１端末から、第１端末のコンテンツを第２端末が取得できるように設定することを要求するコンテンツ設定要求信号を受信すると、第１端末のユーザと第２端末のユーザの間に友人関係が設定されていることを条件に、当該コンテンツを第２端末が取得できるように設定する、請求項４に記載のサーバ。
【請求項６】
前記コンテンツ管理部は、第１端末から、第１端末のコンテンツを第２端末が取得できるように設定することを要求するコンテンツ設定要求信号を受信したときに、第１端末のユーザと第２端末のユーザの間に友人関係が設定されている場合、第１端末と第２端末が近距離無線通信中であるか否かに関わらず、当該コンテンツを第２端末が取得できるように設定する、請求項５に記載のサーバ。
【請求項７】
前記コンテンツ管理部は、第１端末から、第１端末のコンテンツを削除することを要求する削除要求信号を受信すると当該コンテンツを削除し、第２端末から、第２端末が取得できるように設定された第１端末のコンテンツを削除することを要求する削除要求信号を受信しても当該コンテンツを削除しない、請求項１〜６の何れか一項に記載のサーバ。
【請求項８】
前記コンテンツ管理部は、第２端末から、第２端末が取得できるように設定された第１端末のコンテンツを第２端末が取得できないように設定することを要求する解除要求信号を受信すると、当該コンテンツを第２端末が取得できないように設定し、第１端末から、第２端末が取得できるように設定された第１端末のコンテンツを第２端末が取得できないように設定することを要求する解除要求信号を受信しても、当該コンテンツを第２端末が取得できないように設定しない、請求項１〜７の何れか一項に記載のサーバ。
【請求項９】
第１端末のコンテンツを第２端末が取得できるように設定した場合、又は、当該コンテンツを第２端末に送信した場合、第１端末に特典を付与する特典付与部をさらに有する、請求項１〜８の何れか一項に記載のサーバ。
【請求項１０】
端末であって、
前記端末のユーザ識別情報が記憶されている記憶部と、
近距離無線通信により他の端末から、他の端末のユーザ識別情報を受信する近距離無線通信部と、
ユーザ識別情報、ユーザプロファイル情報、コンテンツ及びコンテンツプロファイル情報が相互に関連付けられて端末ごとに登録されているサーバに、前記端末及び他の端末のユーザ識別情報と、前記端末のコンテンツのうち、当該コンテンツに関連付けられたコンテンツプロファイル情報であって、前記端末のユーザ識別情報に関連付けられた前記端末のコンテンツプロファイル情報が、前記他の端末のユーザ識別情報に関連付けられた前記他の端末のユーザプロファイル情報と一致するコンテンツを前記他の端末が取得できるように設定することを要求するコンテンツ配布要求信号とを送信する識別情報送信部と、
を有することを特徴とする端末。
【請求項１１】
第１端末と、第２端末と、サーバとを有する通信システムであって、
前記サーバには、ユーザ識別情報、ユーザプロファイル情報、コンテンツ及びコンテンツプロファイル情報が相互に関連付けられて端末ごとに登録され、
前記第１端末は、近距離無線通信により前記第２端末から、前記第２端末のユーザ識別情報を受信すると、前記サーバに前記第１及び第２端末のユーザ識別情報を送信し、
前記サーバは、前記第１端末から前記第１及び第２端末のユーザ識別情報を受信すると、前記受信した第１端末のユーザ識別情報に関連付けられた第１端末のコンテンツプロファイル情報と前記受信した第２端末のユーザ識別情報に関連付けられた第２端末のユーザのユーザプロファイル情報とが一致するか否かを判定し、一致している場合、当該第１端末のコンテンツプロファイル情報に関連付けられたコンテンツを前記第２端末が取得できるように設定する、
ことを特徴とする通信システム。
【請求項１２】
記憶部と、通信部とを有するサーバの制御プログラムであって、
前記記憶部には、ユーザ識別情報、ユーザプロファイル情報、コンテンツ及びコンテンツプロファイル情報が相互に関連付けられて端末ごとに登録されており、
第１端末から、第１端末のユーザ識別情報と、第１端末が近距離無線通信により第２端末から受信した第２端末のユーザ識別情報とを受信し、
前記受信した第１端末のユーザ識別情報に関連付けられた第１端末のコンテンツプロファイル情報と前記受信した第２端末のユーザ識別情報に関連付けられた第２端末のユーザプロファイル情報とが一致するか否かを判定し、
前記第１端末のコンテンツプロファイル情報と前記第２端末のユーザプロファイル情報とが一致した場合、当該第１端末のコンテンツプロファイル情報に関連付けられたコンテンツを第２端末が取得できるように設定する、
ことを前記サーバに実行させることを特徴とする制御プログラム。
【発明の詳細な説明】
【技術分野】
【０００１】
本発明は、近距離無線通信機能を有する端末、その端末と通信するサーバ、通信システム及びサーバの制御プログラムに関する。
【背景技術】
【０００２】
近年、近距離無線通信機能を有する携帯電話、ゲーム装置等の無線端末が普及している。このような無線端末は、近距離無線通信機能を利用して、近くに存在する他の無線端末と通信することができる。
【０００３】
例えば、特許文献１には、複数のゲーム装置と、サーバとを有する情報システムが開示されている。この情報システムにおいて、サーバに、各ゲーム装置に対応するＷＥＢページが作成され、各ゲーム装置のユーザが作成したデータが格納される。各ゲーム装置は、他のゲーム装置と近距離無線通信を行うことにより、他のゲーム装置に対応するＷＥＢページにアクセスするための情報を取得し、サーバにアクセスして他のゲーム装置のユーザが作成したデータを取得する。
【先行技術文献】
【特許文献】
【０００４】
【特許文献１】特開２０１３−１３７６０３号公報
【発明の概要】
【発明が解決しようとする課題】
【０００５】
特許文献１に開示された情報システムでは、各ゲーム装置は、すれ違った他のゲーム装置と近距離無線通信を行うことにより、サーバに格納された、他のゲーム装置のユーザが作成したデータを取得することができる。しかしながら、各ゲーム装置は、すれ違った全てのゲーム装置についての情報を取得してしまうため、各ゲーム装置のユーザは、趣味・嗜好等が合わないユーザが作成した興味のないデータを取得してしまう場合があった。
【０００６】
本発明は、このような従来の課題を解決すべくなされたものであり、近距離無線通信を行った端末についてサーバに登録されたコンテンツを他の端末が適切に取得することを可能とするサーバ、端末、通信システム及びサーバの制御プログラムを提供することを目的とする。
【課題を解決するための手段】
【０００７】
本発明に係るサーバは、ユーザ識別情報、ユーザプロファイル情報、コンテンツ及びコンテンツプロファイル情報が相互に関連付けられて端末ごとに登録されている記憶部と、第１端末から、第１端末のユーザ識別情報と、第１端末が近距離無線通信により第２端末から受信した第２端末のユーザ識別情報とを受信する通信部と、第１端末のコンテンツプロファイル情報と第２端末のユーザプロファイル情報とが一致するか否かを判定するコンテンツプロファイル判定部と、第１端末のコンテンツプロファイル情報と第２端末のユーザプロファイル情報とが一致した場合、当該第１端末のコンテンツプロファイル情報に関連付けられたコンテンツを第２端末が取得できるように設定するコンテンツ管理部と、を有する。
【０００８】
また、本発明に係るサーバにおいて、第２端末から、第１端末のコンテンツを取得することを要求する取得要求信号を受信すると、当該コンテンツが第２端末が取得できるように設定されている場合に限り、当該コンテンツを第２端末に送信するコンテンツ送信部をさらに有することが好ましい。
【０００９】
また、本発明に係るサーバにおいて、コンテンツ管理部は、第２端末のコンテンツプロファイル情報として第１端末のコンテンツプロファイル情報を登録することにより、当該第１端末のコンテンツプロファイル情報に関連付けられたコンテンツを第２端末が取得できるように設定し、通信部は、第２端末から、第２端末のユーザ識別情報と、第２端末が近距離無線通信により第３端末から受信した第３端末のユーザ識別情報とをさらに受信し、コンテンツプロファイル判定部は、第２端末のコンテンツプロファイル情報と第３端末のユーザプロファイル情報とが一致するか否かをさらに判定し、コンテンツ管理部は、さらに、第２端末のコンテンツプロファイル情報と第３端末のユーザプロファイル情報とが一致した場合、当該第２端末のコンテンツプロファイル情報に関連付けられたコンテンツを第３端末が取得できるように設定することが好ましい。
【００１０】
また、本発明に係るサーバにおいて、第１端末のユーザプロファイル情報と第２端末のユーザプロファイル情報とが一致するか否かを判定するユーザプロファイル判定部と、第１端末のユーザプロファイル情報と第２端末のユーザプロファイル情報とが一致している場合、第１端末のユーザプロファイル情報と第２端末のユーザプロファイル情報とが一致していることを示す一致情報を第１端末に送信する結果信号送信部と、第１端末から、第２端末のユーザと友人関係になることを要求する友人関係要求信号を受信すると、友人関係要求信号を第２端末に送信し、友人関係要求信号に応答して、第２端末のユーザが友人関係になることを許可したことを示す許可信号を第２端末から受信すると、第１端末のユーザと第２端末のユーザの間に友人関係を設定する友人関係管理部と、をさらに有することが好ましい。
【００１１】
または、本発明に係るサーバにおいて、コンテンツ管理部は、第１端末から、第１端末のコンテンツを第２端末が取得できるように設定することを要求するコンテンツ設定要求信号を受信すると、第１端末のユーザと第２端末のユーザの間に友人関係が設定されていることを条件に、当該コンテンツを第２端末が取得できるように設定することが好ましい。
【００１２】
また、本発明に係るサーバにおいて、コンテンツ管理部は、第１端末から、第１端末のコンテンツを第２端末が取得できるように設定することを要求するコンテンツ設定要求信号を受信したときに、第１端末のユーザと第２端末のユーザの間に友人関係が設定されている場合、第１端末と第２端末が近距離無線通信中であるか否かに関わらず、当該コンテンツを第２端末が取得できるように設定することが好ましい。
【００１３】
また、本発明に係るサーバにおいて、コンテンツ管理部は、第１端末から、第１端末のコンテンツを削除することを要求する削除要求信号を受信すると当該コンテンツを削除し、第２端末から、第２端末が取得できるように設定された第１端末のコンテンツを削除することを要求する削除要求信号を受信しても当該コンテンツを削除しないことが好ましい。
【００１４】
また、本発明に係るサーバにおいて、コンテンツ管理部は、第２端末から、第２端末が取得できるように設定された第１端末のコンテンツを第２端末が取得できないように設定することを要求する解除要求信号を受信すると、当該コンテンツを第２端末が取得できないように設定し、第１端末から、第２端末が取得できるように設定された第１端末のコンテンツを第２端末が取得できないように設定することを要求する解除要求信号を受信しても、当該コンテンツを第２端末が取得できないように設定しないことが好ましい。
【００１５】
また、本発明に係るサーバにおいて、第１端末のコンテンツを第２端末が取得できるように設定した場合、又は、当該コンテンツを第２端末に送信した場合、第１端末に特典を付与する特典付与部をさらに有することが好ましい。
【００１６】
本発明に係る端末は、端末であって、端末のユーザ識別情報が記憶されている記憶部と、近距離無線通信により他の端末から、他の端末のユーザ識別情報を受信する近距離無線通信部と、ユーザ識別情報、ユーザプロファイル情報、コンテンツ及びコンテンツプロファイル情報が相互に関連付けられて端末ごとに登録されているサーバに、端末及び他の端末のユーザ識別情報と、端末のコンテンツのうち、当該コンテンツに関連付けられたコンテンツプロファイル情報が第２端末のユーザプロファイル情報と一致するコンテンツを第２端末が取得できるように設定することを要求するコンテンツ配布要求信号とを送信する識別情報送信部と、を有する。
【００１７】
本発明に係る通信システムは、第１端末と、第２端末と、サーバとを有する通信システムであって、サーバには、ユーザ識別情報、ユーザプロファイル情報、コンテンツ及びコンテンツプロファイル情報が相互に関連付けられて端末ごとに登録され、第１端末は、近距離無線通信により第２端末から、第２端末のユーザ識別情報を受信すると、サーバに第１及び第２端末のユーザ識別情報を送信し、サーバは、第１端末から第１及び第２端末のユーザ識別情報を受信すると、第１端末のコンテンツプロファイル情報と第２端末のユーザのユーザプロファイル情報とが一致するか否かを判定し、一致している場合、当該第１端末のコンテンツプロファイル情報に関連付けられたコンテンツを第２端末が取得できるように設定する。
【００１８】
本発明に係るサーバの制御プログラムは、記憶部と、通信部とを有するサーバの制御プログラムであって、記憶部には、ユーザ識別情報、ユーザプロファイル情報、コンテンツ及びコンテンツプロファイル情報が相互に関連付けられて端末ごとに登録されており、第１端末から、第１端末のユーザ識別情報と、第１端末が近距離無線通信により第２端末から受信した第２端末のユーザ識別情報とを受信し、第１端末のコンテンツプロファイル情報と第２端末のユーザプロファイル情報とが一致するか否かを判定し、第１端末のコンテンツプロファイル情報と第２端末のユーザプロファイル情報とが一致した場合、当該第１端末のコンテンツプロファイル情報に関連付けられたコンテンツを第２端末が取得できるように設定することをサーバに実行させる。
【発明の効果】
【００１９】
本発明に係るサーバ、端末、通信システム及びサーバの制御プログラムにおいて、サーバには、ユーザ識別情報、ユーザプロファイル情報、コンテンツ及びコンテンツプロファイル情報が関連付けられて端末ごとに登録される。サーバは、端末から、その端末のユーザ識別情報と、その端末が近距離無線通信により受信した他の端末のユーザ識別情報とを受信すると、その端末のコンテンツプロファイル情報と他の端末のユーザプロファイル情報とが一致するか否かを判定する。そして、一致した場合、サーバは、その端末のコンテンツプロファイル情報に関連付けられたコンテンツを他の端末が取得できるように設定する。これにより、近距離無線通信を行った端末についてサーバに登録されたコンテンツを他の端末が適切に取得することを可能とする。
【図面の簡単な説明】
【００２０】
【図１】通信システム１の概略構成の一例を示す図である。
【図２】携帯端末２の概略構成の一例を示す図である。
【図３】管理サーバ５の概略構成の一例を示す図である。
【図４】（ａ）はユーザ管理テーブルのデータ構造の一例を示す図であり、（ｂ）はコンテンツ管理テーブルのデータ構造の一例の一例を示す図であり、（ｃ）は友人関係管理テーブルのデータ構造の一例の一例を示す図である。
【図５】携帯端末２のユーザ登録処理の動作シーケンスの一例を示す図である。
【図６】ユーザ登録画面の一例を示す図である。
【図７】一致判定処理の動作シーケンスの一例を示すである。
【図８】（ａ）はコンテンツ確認画面の一例を示す図であり、（ｂ）はコンテンツ詳細画面の一例を示す図である。
【図９】コンテンツプロファイル一致判定処理の一例を示すフローチャートである。
【図１０】ユーザプロファイル一致判定処理の一例を示すフローチャートである。
【図１１】友人関係要求処理の一例を示すフローチャートである。
【図１２】（ａ）は友人関係要求確認画面の一例を示す図であり、（ｂ）は要求先友人詳細画面の一例を示す図である。
【図１３】友人関係許可判定処理の一例を示すフローチャートである。
【図１４】（ａ）は友人関係許可確認画面の一例を示す図であり、（ｂ）は要求元友人詳細画面の一例を示す図である。
【図１５】コンテンツ登録処理の動作シーケンスの一例を示す図である。
【図１６】（ａ）は友人一覧画面の一例を示す図であり、（ｂ）は友人詳細画面の一例を示す図であり、（ｃ）は登録用コンテンツ一覧画面の一例を示す図である。
【図１７】コンテンツ管理処理の一例を示すフローチャートである。
【図１８】コンテンツ取得処理の動作シーケンスの一例を示す図である。
【図１９】（ａ）は取得用コンテンツ一覧画面の一例を示す図であり、（ｂ）はコンテンツ詳細画面の一例を示す図である。
【図２０】送信判定処理の動作フローの一例を示すフローチャートである。
【図２１】コンテンツ削除処理の動作シーケンスの一例を示す図である。
【図２２】削除処理の動作フローの一例を示すフローチャートである。
【図２３】コンテンツ解除処理の動作シーケンスの一例を示す図である。
【図２４】解除処理の動作フローの一例を示すフローチャートである。
【図２５】（ａ）、（ｂ）は、携帯端末２、携帯端末３及び携帯端末４の関係について説明するための模式図である。
【発明を実施するための形態】
【００２１】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２２】
本実施形態では、管理サーバには、ユーザ識別情報、ユーザプロファイル情報、コンテンツ及びコンテンツプロファイル情報が関連付けられて携帯端末ごとに登録される。管理サーバは、携帯端末から、その携帯端末のユーザ識別情報と、その携帯端末が近距離無線通信により受信した他の携帯端末のユーザ識別情報とを受信すると、その携帯端末のコンテンツプロファイル情報と他の携帯端末のユーザプロファイル情報とが一致するか否かを判定する。そして、一致した場合、管理サーバは、その携帯端末のコンテンツプロファイル情報に関連付けられたコンテンツを他の携帯端末が取得できるように設定する。これにより、近距離無線通信を行った携帯端末について管理サーバに登録されたコンテンツを他の携帯端末が適切に取得することを可能とする。なお、「コンテンツを取得する」とは、コンテンツを受信することを意味し、コンテンツを受信した後に記憶部に保存しないもの、又は、ユーザが閲覧可能に表示しないものを含んでもよい。
【００２３】
また、管理サーバは、特定の携帯端末のコンテンツプロファイル情報に関連付けられたコンテンツを取得できるように設定された他の携帯端末が、さらに他の携帯端末と近距離無線通信を行った場合、その特定の携帯端末のコンテンツプロファイル情報に関連付けられていたコンテンツを、さらに他の携帯端末が取得できるように設定する。これにより、特定の携帯端末について管理サーバに登録されたコンテンツを、近距離無線通信により、バケツリレーのように複数の携帯端末を経由して、広く伝搬させることを可能とする。
【００２４】
また、各装置が、すれ違った他の装置と近距離無線通信を行うことにより、サーバに格納された、他の装置のユーザが作成したデータを取得することができる従来の情報システムでは、各装置は、他の装置とすれ違った場合にのみ情報を取得することができる。本実施形態では、二つの携帯端末のユーザの間に友人関係が設定されている場合、二つの携帯端末が近距離無線通信中であるか否かに関わらず、携帯端末のコンテンツプロファイル情報に関連付けられたコンテンツを他の携帯端末が取得できるように設定する。これにより、各携帯端末間の情報の共有性を向上させることを可能とする。
【００２５】
図１は、通信システム１の概略構成の一例を示す図である。
【００２６】
通信システム１は、携帯端末２と、携帯端末３と、携帯端末４と、管理サーバ５とを有する。
【００２７】
通信システム１では、不図示の交換機が、広域通信回線網である通信ネットワーク６を介して相互に接続される。交換機は、ある地域をカバーする無線通信ネットワークを通信ネットワーク６に接続する。無線通信ネットワークには、地域内をカバーする無線ゾーンを管理するように基地局５が配置される。基地局５は、基地局５が属する不図示の無線ネットワーク制御装置を介して交換機に接続される。そして、その地域内の携帯端末２が、その地域内外の他の携帯端末３、管理サーバ５等と通信を行う際に、携帯端末２は、基地局５を介して交換機に接続され、さらに通信ネットワーク６に接続される。
【００２８】
また、通信ネットワーク６は、イーサネット（登録商標）等の有線ＬＡＮにより、不図示のゲートウェイを介して、イントラネット７と接続される。イントラネット７には、管理サーバ５がさらに接続される。
【００２９】
図２は、携帯端末２の概略構成の一例を示す図である。なお、携帯端末２、携帯端末３及び携帯端末４の構成は同じであるため、以下では代表して携帯端末２について説明する。
【００３０】
携帯端末２は、端末の一例であり、例えば多機能携帯電話（いわゆる「スマートフォン」）であり、無線通信ネットワークへの接続、近距離無線通信、所定のアプリケーションプログラムの実行等を可能とする。そのために、携帯端末２は、無線通信部２０１と、近距離無線通信部２０２と、操作部２０３と、表示部２０４と、記憶部２０５と、中央処理部２１０とを備える。なお、携帯端末２は、通信機能を有する通信装置であればよく、例えば携帯情報端末（Personal Digital Assistant, PDA）、携帯ゲーム機、携帯音楽プレーヤ、タブレットＰＣ等でもよい。
【００３１】
無線通信部２０１は、主に２．１ＧＨｚ帯を感受帯域とするアンテナを含む、通信インターフェース回路を有し、携帯端末２を通信ネットワーク６に接続する。無線通信部２０１は、基地局５により割り当てられるチャネルを介して、基地局５との間でＣＤＭＡ（Code Division Multiple Access）方式等による無線信号回線を確立し、基地局５との間で無線通信を行う。そして、無線通信部２０１は、基地局５から受信したデータを中央処理部２１０に供給する。また、無線通信部２０１は、中央処理部２１０から供給されたデータを基地局５に送信する。なお、無線通信部２０１は、例えばＨＴＴＰ（Hypertext Transfer Protocol）のプロトコルに従って管理サーバ５との間のデータ通信を行う。
【００３２】
近距離無線通信部２０２は、Ｂｌｕｅｔｏｏｔｈ  ＬＥ（Low Energy）（登録商標）等の通信方式に従った近距離無線通信を行うためのインターフェース回路を有し、他の携帯端末３との間で近距離無線通信を行う。そして、近距離無線通信部２０２は、他の携帯端末３から受信したデータを中央処理部２１０に供給する。また、近距離無線通信部２０２は、中央処理部２１０から供給されたデータを他の携帯端末３に送信する。なお、近距離無線通信部２０２は、Ｂｌｕｅｔｏｏｔｈ（登録商標）、ＲＦＩＤ（Radio Frequency IDentification）、ＺｉｇＢｅｅ等の他の通信方式に従った近距離無線通信を行うためのインターフェース回路を有してもよい。
【００３３】
操作部２０３は、携帯端末２の操作が可能であればどのようなデバイスでもよく、例えば、タッチパネル式の入力装置、キーパッド等である。ユーザは、このデバイスを用いて、文字、数字等を入力することができる。操作部２０３は、ユーザの指示を受け付け、受け付けた指示に対応する信号を発生し、中央処理部２１０に出力する。
【００３４】
表示部２０４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２０４は、中央処理部２１０から供給される動画像データに応じた動画像、静止画像データに応じた静止画像等を表示する。
【００３５】
記憶部２０５は、例えば、半導体メモリを有する。記憶部２０５は、中央処理部２１０での処理に用いられるドライバプログラム、オペレーティングシステムプログラム、アプリケーションプログラム、データ等を記憶する。例えば、記憶部２０５は、ドライバプログラムとして、無線通信部２０１を制御する携帯電話通信デバイスドライバプログラム、近距離無線通信部２０２を制御する近距離無線通信デバイスドライバプログラム、操作部２０３を制御する入力デバイスドライバプログラム、表示部２０４を制御する出力デバイスドライバプログラム等を記憶する。また、記憶部２０５は、オペレーティングシステムプログラムとして、Ｂｌｕｅｔｏｏｔｈ  ＬＥ（登録商標）規格の近距離無線通信方式を実行する接続制御プログラム、携帯電話の接続制御プログラム等を記憶する。また、記憶部２０５は、アプリケーションプログラムとして、ウェブページの取得及び表示を行うウェブブラウザプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２０５にインストールされてもよい。
【００３６】
また、記憶部２０５は、データとして、携帯端末２のユーザ識別情報であるユーザＩＤ、管理サーバ５へアクセスするためのアドレス等を記憶する。さらに、記憶部２０５は、所定の処理に係る一時的なデータを一時的に記憶してもよい。
【００３７】
中央処理部２１０は、一又は複数個のプロセッサ及びその周辺回路を有する。中央処理部２１０は、携帯端末２の全体的な動作を統括的に制御するものであり、例えば、ＣＰＵ（Central Processing Unit）である。中央処理部２１０は、携帯端末２の各種処理が記憶部２０５に記憶されているプログラム、操作部２０３の操作等に応じて適切な手順で実行されるように、無線通信部２０１、近距離無線通信部２０２、表示部２０４等の動作を制御する。中央処理部２１０は、記憶部２０５に記憶されているプログラム（ドライバプログラム、オペレーティングシステムプログラム、アプリケーションプログラム等）に基づいて処理を実行する。また、中央処理部２１０は、複数のプログラム（アプリケーションプログラム等）を並列に実行することができる。
【００３８】
中央処理部２１０は、要求制御部２２０と、応答制御部２３０と、共通制御部２４０とを有する。要求制御部２２０は、識別情報要求部２２１と、識別情報送信部２２２と、結果信号受信部２２３と、友人関係要求部２２４とを有する。応答制御部２３０は、識別情報応答部２３１と、友人関係応答部２３２とを有する。共通制御部２４０は、ユーザ登録部２４１と、コンテンツ登録管理部２４２と、設定要求部２４３と、コンテンツ受信部２４４とを有する。中央処理部２１０が有するこれらの各部は、中央処理部２１０が有するプロセッサ上で実行されるプログラムによって実装される機能モジュールである。あるいは、中央処理部２１０が有するこれらの各部は、独立した集積回路、マイクロプロセッサ、又はファームウェアとして携帯端末２に実装されてもよい。
【００３９】
図３は、管理サーバ５の概略構成の一例を示す図である。
【００４０】
管理サーバ５は、サーバの一例であり、携帯端末２、携帯端末３及び携帯端末４について登録されたコンテンツを記憶し、携帯端末２又は携帯端末３からの要求に従って、登録されたコンテンツを送信する。そのために、管理サーバ５は、サーバ通信部５０１と、サーバ記憶部５０２と、サーバ処理部５１０とを備える。
【００４１】
サーバ通信部５０１は、イーサネット（登録商標）などの有線の通信インターフェース回路を有する。サーバ通信部５０１は、イントラネット７を介して携帯端末２、携帯端末３、携帯端末４等と通信を行う。そして、サーバ通信部５０１は、携帯端末２、携帯端末３、携帯端末４等から受信したデータをサーバ処理部５１０に供給する。また、サーバ通信部５０１は、サーバ処理部５１０から供給されたデータを携帯端末２、携帯端末３、携帯端末４等に送信する。
【００４２】
サーバ記憶部５０２は、例えば、半導体メモリ、磁気ディスク装置、及び光ディスク装置のうちの少なくとも一つを有する。サーバ記憶部５０２は、サーバ処理部５１０による処理に用いられるドライバプログラム、オペレーティングシステムプログラム、アプリケーションプログラム、データ等を記憶する。例えば、サーバ記憶部５０２は、ドライバプログラムとして、サーバ通信部５０１を制御する通信デバイスドライバプログラム等を記憶する。また、サーバ記憶部５０２は、オペレーティングシステムプログラムとして、ＴＣＰ／ＩＰ（Transmission Control Protocol / Internet Protocol）等の通信方式による接続制御プログラム等を記憶する。また、サーバ記憶部５０２は、アプリケーションプログラムとして、各種データの送受信を行うデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部５０２にインストールされてもよい。
【００４３】
また、サーバ記憶部５０２は、データとして、各携帯端末のユーザを管理するユーザ管理テーブル（図４（ａ））、各携帯端末のユーザから登録されたコンテンツを管理するコンテンツ管理テーブル（図４（ｂ））、各携帯端末のユーザの友人関係を管理する友人関係管理テーブル（図４（ｃ））等を記憶する。
【００４４】
図４（ａ）は、ユーザ管理テーブルのデータ構造の一例を示す図である。
【００４５】
図４（ａ）に示すように、ユーザ管理テーブルには、各携帯端末のユーザ毎に、そのユーザの識別情報であるユーザＩＤ、ユーザ名、性別、年齢、居住地、職種、一又は複数のユーザプロファイル情報及びポイント等が相互に関連付けられて登録される。ユーザプロファイル情報は、そのユーザの趣味、嗜好等を示す情報である。ユーザプロファイル情報は、例えば「ＴＶ・芸能情報」、「ゲーム」、「アニメ」、「旅行・レジャー」、「スポーツ観戦」、「ショッピング」、「外食・グルメ」、「お酒」、「ファッション」、「美容・エステ」、「趣味・習い事」、「音楽」等、そのユーザが興味を持っている分野を示す。また、ユーザプロファイル情報は、そのユーザの性別、年齢、居住地、職種等を示す情報としてもよい。ポイントは、各携帯端末に付与される点数であり、そのポイントと交換に、特定の事業者からその携帯端末のユーザに商品、クーポン等の特典が付与される。なお、このポイントが大きいほど価値の高い特典が付与される。
【００４６】
図４（ｂ）は、コンテンツ管理テーブルのデータ構造の一例を示す図である。
【００４７】
図４（ｂ）に示すように、コンテンツ管理テーブルには、各ユーザにより登録されたコンテンツ毎に、そのコンテンツの識別情報であるコンテンツＩＤ、タイトル、内容、コンテンツプロファイル情報、登録ユーザＩＤ及び共有ユーザ情報等が相互に関連付けられて記憶される。
【００４８】
コンテンツプロファイル情報は、そのコンテンツのプロファイルを示す情報であり、ユーザプロファイル情報と同じ種類の分野を示す。コンテンツプロファイル情報は、コンテンツが登録される際に、そのコンテンツを登録したユーザにより指定される。
【００４９】
登録ユーザＩＤは、そのコンテンツを登録したユーザのユーザＩＤである。なお、図４（ｂ）では、コンテンツＩＤが０００１であるコンテンツをユーザＩＤが０００１である携帯端末のユーザが登録した例を示しているが、コンテンツを登録できるユーザは、携帯端末のユーザではなく、コンテンツを登録する資格が付与されたユーザ（例えばお店の責任者等）であるものとしてもよい。その場合、そのコンテンツを登録する資格が付与されたユーザが利用する端末がそのコンテンツを提供するオリジナルの端末となる。なお、オリジナルの端末は、近距離無線通信を行うことができる端末であればどのような端末でもよく、携帯端末及び携帯することができない固定端末の何れであってもよい。また、オリジナルの端末が固定端末である場合、オリジナルの端末は、コンテンツを登録するためにのみ使用され、他の端末が登録したコンテンツを取得する機能を有さないものとしてもよい。
【００５０】
共有ユーザ情報は、そのコンテンツを取得することができる携帯端末のユーザを示す情報である。以下では、コンテンツを取得することができる携帯端末のユーザを共有ユーザと称し、共有ユーザにそのコンテンツを提供した登録ユーザ又は他の共有ユーザを提供ユーザと称する場合がある。共有ユーザ情報は、共有ユーザのユーザＩＤである共有ユーザＩＤと、提供ユーザのユーザＩＤである提供ユーザＩＤと、共有ユーザが提供ユーザと接近してそのコンテンツを取得できるようになった共有日時及び共有場所等を含む。
【００５１】
図４（ｃ）は、友人関係管理テーブルのデータ構造の一例を示す図である。
【００５２】
図４（ｃ）に示すように、友人関係管理テーブルには、近距離無線通信を行った携帯端末の組合せ毎に、検知した側の携帯端末のユーザのユーザＩＤ及びユーザ名、検知された側の携帯端末のユーザのユーザＩＤ及びユーザ名、並びに、二つの携帯端末のユーザについて共通するユーザプロファイル情報、現在の状態、検知した日時及び場所等が相互に関連付けられて記憶される。現在の状態は、一方の携帯端末が他方の携帯端末を検知した直後の状態である「検知」、一方の携帯端末から他方の携帯端末のユーザと友人関係になることを要求している状態である「要求中」、二つの携帯端末のユーザが友人関係になった状態である「承認」の内の何れかである。また、以下では、二つの携帯端末のユーザについて共通するユーザプロファイル情報を共通ユーザプロファイル情報と称する場合がある。
【００５３】
図３に戻って、サーバ処理部５１０は、一又は複数個のプロセッサ及びその周辺回路を有する。サーバ処理部５１０は、管理サーバ５の全体的な動作を統括的に制御するものであり、例えば、ＣＰＵである。サーバ処理部５１０は、管理サーバ５の各種処理がサーバ記憶部５０２に記憶されているプログラム等に応じて適切な手順で実行されるように、サーバ通信部５０１等の動作を制御する。サーバ処理部５１０は、サーバ記憶部５０２に記憶されているプログラム（ドライバプログラム、オペレーティングシステムプログラム、アプリケーションプログラム等）に基づいて処理を実行する。また、サーバ処理部５１０は、複数のプログラム（アプリケーションプログラム等）を並列に実行することができる。
【００５４】
サーバ処理部５１０は、ユーザ管理部５１１、識別情報受信部５１２、コンテンツプロファイル判定部５１３、ユーザプロファイル判定部５１４、結果信号送信部５１５、友人関係管理部５１６、コンテンツ管理部５１７、コンテンツ送信部５１８及び特典付与部５１９等を有する。サーバ処理部５１０が有するこれらの各部は、サーバ処理部５１０が有するプロセッサ上で実行されるプログラムによって実装される機能モジュールである。あるいは、サーバ処理部５１０が有するこれらの各部は、独立した集積回路、マイクロプロセッサ、又はファームウェアとして管理サーバ５に実装されてもよい。
【００５５】
図５は、通信システム１による携帯端末２のユーザ登録処理の動作シーケンスの一例を示す。
【００５６】
以下に説明する動作シーケンスは、各装置において予め各装置の記憶部に記憶されているプログラムに基づき主に各装置の制御部により各装置の各要素と協働して実行される。
【００５７】
最初に、携帯端末２のユーザ登録部２４１は、操作部２０３を用いたユーザの指示に従って、ユーザ登録画面を表示部２０４に表示する（ステップＳ１０１）。
【００５８】
図６は、ユーザ登録画面の一例を示す。図６に示すように、ユーザ登録画面６００には、携帯端末２のユーザのユーザ名の入力欄６０１と、性別の選択欄６０２と、年齢の選択欄６０３と、居住地の選択欄６０４と、職種の選択欄６０５と、ユーザプロファイル情報の選択欄６０６とが表示される。さらに、ユーザ登録画面６００には、各情報を管理サーバ５に登録するための「登録」ボタン６０７と、ユーザ登録を終了するための「終了」ボタン６０８が表示される。
【００５９】
なお、管理サーバ５が、ユーザ登録画面を生成するためのユーザ登録画面データを生成して携帯端末２に送信し、携帯端末２は、管理サーバ５から受信したユーザ登録画面データに基づいてユーザ登録画面を生成して表示してもよい。
【００６０】
次に、操作部２０３は、ユーザの指示を受け付ける（ステップＳ１０２）。操作部２０３を用いてユーザにより、ユーザ名が入力され、性別、年齢、居住地、職種及びユーザプロファイル情報が選択され、「登録」ボタン６０７がタップされると、ユーザ登録部２４１は、入力又は選択された各情報を取得する。
【００６１】
次に、ユーザ登録部２４１は、取得した各情報を含むユーザ設定要求信号を無線通信部２０１を介して管理サーバ５に送信する（ステップＳ１０３）。
【００６２】
次に、管理サーバ５のユーザ管理部５１１は、サーバ通信部５０１を介して携帯端末２からユーザ設定要求信号を受信すると、携帯端末２のユーザについて新たなユーザＩＤを割り当て、割り当てたユーザＩＤと、受信したユーザ設定要求信号に含まれる各情報とを相互に関連付けてサーバ記憶部５０２のユーザ管理テーブルに登録する（ステップＳ１０４）。
【００６３】
次に、ユーザ管理部５１１は、割り当てたユーザＩＤを含む設定応答信号をサーバ通信部５０１を介して携帯端末２に送信する（ステップＳ１０５）。
【００６４】
次に、携帯端末２のユーザ登録部２４１は、無線通信部２０１を介して管理サーバ５から設定応答信号を受信すると、受信した設定応答信号に含まれるユーザＩＤを、携帯端末２のユーザのユーザＩＤとして記憶部２０５に記憶する（ステップＳ１０６）。以上により、ユーザ登録処理は終了する。
【００６５】
図７は、通信システム１による、携帯端末２と携帯端末３が接近した時の一致判定処理の動作シーケンスの一例を示す。
【００６６】
以下に説明する動作シーケンスは、各装置において予め各装置の記憶部に記憶されているプログラムに基づき主に各装置の制御部により各装置の各要素と協働して実行される。
【００６７】
最初に、携帯端末２の識別情報要求部２２１は、近距離無線通信により他の端末を検知するための検知信号を近距離無線通信部２０２を介して定期的に送信する（ステップＳ２０１）。
【００６８】
次に、携帯端末３の識別情報応答部２３１は、携帯端末２と携帯端末３が接近することにより、近距離無線通信部２０２を介して携帯端末２から検知信号を受信すると、検知信号を受信したことを示す検知応答信号を近距離無線通信部２０２を介して携帯端末２に送信する（ステップＳ２０２）。
【００６９】
次に、携帯端末２の識別情報要求部２２１は、近距離無線通信部２０２を介して携帯端末３から検知応答信号を受信すると、携帯端末３のユーザのユーザＩＤの取得を要求する識別情報要求信号を近距離無線通信部２０２を介して携帯端末３に送信する（ステップＳ２０３）。
【００７０】
次に、携帯端末３の識別情報応答部２３１は、近距離無線通信部２０２を介して携帯端末２から識別情報要求信号を受信すると、携帯端末３のユーザのユーザＩＤを含む識別情報信号を近距離無線通信部２０２を介して携帯端末２に送信する（ステップＳ２０４）。
【００７１】
次に、携帯端末２の識別情報送信部２２２は、近距離無線通信部２０２を介して携帯端末３から識別情報信号を受信すると、判定要求信号及びコンテンツ配布要求信号を無線通信部２０１を介して無線通信により管理サーバ５に送信する（ステップＳ２０５）。判定要求信号は、携帯端末２のコンテンツプロファイル情報及びユーザプロファイル情報と携帯端末３のユーザプロファイル情報との一致判定を要求するための信号である。判定要求信号には、携帯端末２のユーザのユーザＩＤと、携帯端末３から受信した識別情報信号に含まれるユーザＩＤと、携帯端末３から識別情報信号を受信した時刻を示す時刻情報と、携帯端末３から識別情報信号を受信したときの位置を示す位置情報とが含まれる。携帯端末２は、ＧＰＳ（Global Positioning System）等を用いて携帯端末２の位置を測定する位置測定部（不図示）から、携帯端末３から識別情報信号を受信したときの位置情報を取得する。コンテンツ配布要求信号は、携帯端末２のコンテンツのうち、そのコンテンツに関連付けられたコンテンツプロファイル情報が携帯端末３のユーザプロファイル情報と一致するコンテンツを携帯端末３が取得できるように設定することを要求するための信号である。
【００７２】
次に、管理サーバ５の識別情報受信部５１２が、サーバ通信部５０１を介して携帯端末２から判定要求信号を受信すると、サーバ処理部５１０は、コンテンツプロファイル判定処理を実行する（ステップＳ２０６）。サーバ処理部５１０は、コンテンツプロファイル判定処理において、携帯端末２のコンテンツプロファイル情報と携帯端末３のユーザプロファイル情報とが一致するか否かを判定し、一致した場合、携帯端末２の、そのコンテンツプロファイル情報に関連付けられたコンテンツを携帯端末３が取得できるように設定する。コンテンツプロファイル判定処理の詳細については後述する。
【００７３】
次に、コンテンツ管理部５１７は、コンテンツプロファイル判定処理において、携帯端末２のコンテンツを携帯端末３が取得できるように設定した場合、携帯端末２のコンテンツを携帯端末３が取得できるように設定したことを表すコンテンツ登録信号をサーバ通信部５０１を介して携帯端末３に送信する（ステップＳ２０７）。コンテンツ登録信号には、携帯端末３が取得できるように設定されたコンテンツのコンテンツＩＤ、タイトル、内容、コンテンツプロファイル情報等が含まれる。
【００７４】
なお、携帯端末３と管理サーバ５がＨＴＴＰのプロトコルによりデータ通信を行う場合、携帯端末３から管理サーバ５に対して定期的にアクセスを行うことにより、管理サーバ５は携帯端末３のアドレスを取得する。また、管理サーバ５に携帯端末３の電話番号、電子メールアドレス等を予め登録しておき、管理サーバ５は、ＳＭＳ（Short Message Service）のメッセージ又は電子メールによりコンテンツ登録信号を携帯端末３に送信してもよい。
【００７５】
次に、携帯端末３のコンテンツ登録管理部２４２は、無線通信部２０１を介して管理サーバ５からコンテンツ登録信号を受信すると、新たなコンテンツを取得したことをユーザに通知するためのコンテンツ確認画面を表示部２０４に表示する（ステップＳ２０８）。
【００７６】
図８（ａ）は、コンテンツ確認画面の一例を示す。図８（ａ）に示すように、コンテンツ確認画面８００には、新たなコンテンツを取得できることを表す文字表示８０１が表示される。さらに、コンテンツ確認画面８００には、表示を終了するための「閉じる」ボタン８０２と、そのコンテンツの詳細を表すコンテンツ詳細画面を表示するための「詳細」ボタン８０３とが表示される。
【００７７】
図８（ｂ）は、コンテンツ詳細画面の一例を示す。図８（ｂ）に示すように、コンテンツ詳細画面８１０には、そのコンテンツのタイトル８１１と、詳細な内容８１２と、取得できる他のコンテンツを表示するためのボタン８１３とが表示される。さらに、コンテンツ詳細画面８１０には、コンテンツ確認画面８００に戻るための「戻る」ボタン８１４が表示される。コンテンツ詳細画面８１０は、管理サーバ５から受信したコンテンツ登録信号に含まれる各情報に基づいて生成される。なお、管理サーバ５が、コンテンツ詳細画面８１０を生成するためのコンテンツ詳細画面データを生成して携帯端末３に送信してもよい。その場合、携帯端末３は、各コンテンツの詳細を表示する際、管理サーバ５に対してコンテンツ詳細画面データの取得を要求し、管理サーバ５から受信したコンテンツ詳細画面データに基づいてコンテンツ詳細画面８１０を生成して表示する。
【００７８】
一方、管理サーバ５の識別情報受信部５１２が、サーバ通信部５０１を介して携帯端末２から判定要求信号を受信すると、サーバ処理部５１０は、ユーザプロファイル判定処理も実行する（ステップＳ２０９）。サーバ処理部５１０は、ユーザプロファイル判定処理において、携帯端末２のユーザプロファイル情報と携帯端末３のユーザプロファイル情報とが一致するか否かを判定し、その判定結果に基づいて友人関係テーブルを更新する。コンテンツプロファイル判定処理の詳細については後述する。
【００７９】
次に、結果信号送信部５１５は、結果信号をサーバ通信部５０１を介して携帯端末２に送信する（ステップＳ２１０）。結果信号には、携帯端末２のユーザプロファイル情報と携帯端末３のユーザプロファイル情報が一致したことを示す一致情報又は一致しなかったことを示す不一致情報の内の何れか一方が含まれる。また、結果信号に一致情報が含まれる場合、結果信号には、更に、携帯端末２及び携帯端末３のユーザプロファイル情報を含むそのユーザについての各情報と、一致したユーザプロファイル情報とが含まれる。
【００８０】
次に、携帯端末２の結果信号受信部２２３が、無線通信部２０１を介して管理サーバ５から結果信号を受信すると、友人関係要求部２２４は、友人関係要求判定処理を実施する（ステップＳ２１１）。友人関係要求判定処理は、携帯端末３のユーザと友人関係になることを管理サーバ５に対して要求するか否かを決定する処理である。友人関係要求部２２４は、受信した結果信号に基づいて、友人関係要求判定処理を実施する。友人関係要求判定処理の詳細については、後述する。
【００８１】
次に、友人関係要求部２２４は、友人関係要求判定処理において、友人関係を要求することに決定した場合、携帯端末３のユーザと友人関係になることを要求する友人関係要求信号を無線通信部２０１を介して管理サーバ５に送信する（ステップＳ２１２）。友人関係要求信号には、携帯端末２及び携帯端末３のユーザプロファイル情報を含む各情報と、一致したユーザプロファイル情報とが含まれる。
【００８２】
次に、管理サーバ５の友人関係管理部５１６は、サーバ通信部５０１を介して携帯端末２から友人関係要求信号を受信すると、友人関係管理テーブルにおいて携帯端末２のユーザのユーザＩＤ及び携帯端末３のユーザのユーザＩＤと関連付けて記憶された現在の状態を「要求中」に変更する。そして、友人関係管理部５１６は、受信した友人関係要求信号をサーバ通信部５０１を介して携帯端末３に送信する（ステップＳ２１３）。
【００８３】
次に、携帯端末３の友人関係応答部２３２は、無線通信部２０１を介して管理サーバ５から友人関係要求信号を受信すると、友人関係許可判定処理を実施する（ステップＳ２１４）。友人関係許可判定処理は、携帯端末３のユーザが携帯端末２のユーザと友人関係になることを許可するか否かを決定する処理である。友人関係許可判定処理の詳細については、後述する。
【００８４】
次に、友人関係応答部２３２は、友人関係許可判定処理において、携帯端末３のユーザが携帯端末２のユーザと友人関係になることを許可した場合、携帯端末３のユーザが携帯端末２のユーザと友人関係になることを許可したことを示す許可信号を無線通信部２０１を介して管理サーバ５に送信する。一方、友人関係応答部２３２は、友人関係許可判定処理において、携帯端末３のユーザが携帯端末２のユーザと友人関係になることを拒否した場合、携帯端末３のユーザが携帯端末２のユーザと友人関係になることを拒否したことを示す拒否信号を無線通信部２０１を介して管理サーバ５に送信する（ステップＳ２１５）。
【００８５】
次に、管理サーバ５の友人関係管理部５１６は、友人関係要求信号に応答して、サーバ通信部５０１を介して携帯端末３から許可信号を受信すると、携帯端末２のユーザと携帯端末３のユーザの間に友人関係を設定する。友人関係管理部５１６は、友人関係管理テーブルにおいて携帯端末２のユーザのユーザＩＤ及び携帯端末３のユーザのユーザＩＤと関連付けて記憶された現在の状態を「承認」に変更することにより、携帯端末２のユーザと携帯端末３のユーザの間に友人関係を設定する。一方、管理サーバ５の友人関係管理部５１６は、サーバ通信部５０１を介して携帯端末３から拒否信号を受信すると、友人関係管理テーブルにおいて携帯端末２のユーザのユーザＩＤ及び携帯端末３のユーザのユーザＩＤと関連付けて記憶された各情報を削除する（ステップＳ２１６）。
【００８６】
次に、友人関係管理部５１６は、受信した許可信号又は拒否信号をサーバ通信部５０１を介して携帯端末２に送信する（ステップＳ２１７）。
【００８７】
次に、携帯端末２は、無線通信部２０１を介して管理サーバ５から許可信号又は拒否信号を受信する。以上により、一致判定処理は終了する。
【００８８】
図９は、管理サーバ５によるコンテンツプロファイル一致判定処理の動作フローの一例を示すフローチャートである。図９に示す動作のフローは、図７に示す動作シーケンスのステップＳ２０６において実行される。
【００８９】
最初に、管理サーバ５の識別情報受信部５１２は、受信した判定要求信号に含まれる、携帯端末２のユーザのユーザＩＤ、携帯端末３のユーザのユーザＩＤ、時刻情報及び位置情報をコンテンツプロファイル判定部５１３に渡す（ステップＳ３０１）。
【００９０】
次に、コンテンツプロファイル判定部５１３は、コンテンツ管理テーブルにおいて携帯端末２のユーザＩＤに関連付けられたコンテンツプロファイル情報と、ユーザ管理テーブルにおいて携帯端末３のユーザＩＤに関連付けられたユーザプロファイル情報が一致するか否かを判定する（ステップＳ３０２）。即ち、コンテンツプロファイル判定部５１３は、コンテンツ管理テーブルにおいて登録ユーザＩＤ又は共有ユーザＩＤが携帯端末２のユーザＩＤであるコンテンツのコンテンツプロファイル情報と、ユーザ管理テーブルにおいてユーザＩＤが携帯端末３のユーザＩＤであるユーザのユーザプロファイル情報が一致するか否かを判定する。なお、コンテンツプロファイル判定部５１３は、携帯端末２のコンテンツプロファイル情報の内の少なくとも一つと、携帯端末３のユーザプロファイル情報の内の少なくとも一つとが一致する場合、携帯端末２のコンテンツプロファイル情報と携帯端末３のユーザプロファイル情報が一致すると判定する。一方、コンテンツプロファイル判定部５１３は、携帯端末２のコンテンツプロファイル情報の全てが、携帯端末３のユーザプロファイル情報の内の何れとも一致しない場合、携帯端末２のコンテンツプロファイル情報と携帯端末３のユーザプロファイル情報が一致しないと判定する。
【００９１】
携帯端末２のコンテンツプロファイル情報と、携帯端末３のユーザプロファイル情報が一致する場合（ステップＳ３０２−Ｙｅｓ）、コンテンツ管理部５１７は、携帯端末２のコンテンツのうち、携帯端末３のユーザプロファイル情報と一致したコンテンツプロファイル情報に対応するコンテンツを携帯端末３が取得できるように設定し（ステップＳ３０３）、一連のステップを終了する。コンテンツ管理部５１７は、コンテンツ管理テーブルにおいて、そのコンテンツに関連付けられる共有ユーザ情報を更新することにより、そのコンテンツを携帯端末３が取得できるように設定する。コンテンツ管理部５１７は、共有ユーザ情報の共有ユーザＩＤ、提供ユーザＩＤ、共有日時及び共有場所として、識別情報受信部５１２が受信した判定要求信号に含まれる携帯端末３のユーザＩＤ、携帯端末２のユーザＩＤ、時刻情報及び位置情報をそれぞれ記憶する。すなわち、コンテンツ管理部５１７は、携帯端末２のコンテンツプロファイル情報を携帯端末３のコンテンツプロファイル情報として登録することにより、携帯端末２のコンテンツプロファイル情報に関連付けられたコンテンツを携帯端末３が取得できるように設定する。
【００９２】
一方、携帯端末２のコンテンツプロファイル情報と、携帯端末３のユーザプロファイル情報が一致しない場合（ステップＳ３０２−Ｎｏ）、コンテンツ管理部５１７は、特に処理を行わず、一連のステップを終了する。
【００９３】
図１０は、管理サーバ５によるユーザプロファイル一致判定処理の動作フローの一例を示すフローチャートである。図１０に示す動作のフローは、図７に示す動作シーケンスのステップＳ２０９において実行される。
【００９４】
最初に、管理サーバ５の識別情報受信部５１２は、受信した判定要求信号に含まれる、携帯端末２のユーザのユーザＩＤ、携帯端末３のユーザのユーザＩＤ、時刻情報及び位置情報をユーザプロファイル判定部５１４に渡す（ステップＳ４０１）。
【００９５】
次に、ユーザプロファイル判定部５１４は、ユーザ管理テーブルにおいて、携帯端末２のユーザＩＤに関連付けられたユーザプロファイル情報と、携帯端末３のユーザＩＤに関連付けられたユーザプロファイル情報が一致するか否かを判定する（ステップＳ４０２）。なお、ユーザプロファイル判定部５１４は、携帯端末２のユーザプロファイル情報の内の少なくとも一つと、携帯端末３のユーザプロファイル情報の内の少なくとも一つとが一致する場合、携帯端末２のユーザプロファイル情報と携帯端末３のユーザプロファイル情報が一致すると判定する。一方、ユーザプロファイル判定部５１４は、携帯端末２のユーザプロファイル情報の全てが、携帯端末３のユーザプロファイル情報の内の何れとも一致しない場合、携帯端末２のユーザプロファイル情報と携帯端末３のユーザプロファイル情報が一致しないと判定する。
【００９６】
携帯端末２のユーザプロファイル情報と、携帯端末３のユーザプロファイル情報が一致する場合（ステップＳ４０２−Ｙｅｓ）、友人関係管理部５１６は、サーバ記憶部５０２の友人関係管理テーブルに、近距離無線通信を行った携帯端末の組合せを新たに登録し（ステップＳ４０３）、一連のステップを終了する。友人関係管理部５１６は、検知した側の携帯端末のユーザのユーザＩＤ及びユーザ名として、携帯端末２のユーザのユーザＩＤ及びユーザ名を記憶し、検知された側の携帯端末のユーザのユーザＩＤ及びユーザ名として、携帯端末３のユーザのユーザＩＤ及びユーザ名を記憶する。さらに、ユーザプロファイル判定部５１４は、共通ユーザプロファイル情報として、一致したユーザプロファイル情報を記憶し、現在の状態として「検知」を記憶し、検知した日時及び場所として識別情報受信部５１２が受信した判定要求信号に含まれる時刻情報及び位置情報を記憶する。
【００９７】
一方、携帯端末２のユーザプロファイル情報と、携帯端末３のユーザプロファイル情報が一致しない場合（ステップＳ４０２−Ｎｏ）、友人関係管理部５１６は、特に処理を行わず、一連のステップを終了する。
【００９８】
図１１は、携帯端末２による友人関係要求判定処理の動作フローの一例を示すフローチャートである。図１１に示す動作のフローは、図７に示すフローチャートのステップＳ２１１において実行される。
【００９９】
最初に、携帯端末２の友人関係要求部２２４は、管理サーバ５から受信した結果信号に一致情報が含まれるか否かを判別する（ステップＳ５０１）。
【０１００】
友人関係要求部２２４は、結果信号に一致情報が含まれない場合、友人関係を要求しないことに決定し（ステップＳ５０２）、友人関係要求処理を終了する（ステップＳ５０３）。この場合は、図７のステップＳ２１２に示した友人関係要求信号の送信処理は実行されない。
【０１０１】
一方、友人関係要求部２２４は、結果信号に一致情報が含まれる場合、携帯端末３のユーザと友人関係になることを要求するか否かを携帯端末２のユーザに確認するための友人関係要求確認画面を表示部２０４に表示する（ステップＳ５０４）。
【０１０２】
図１２（ａ）は、友人関係要求確認画面の一例を示す。図１２（ａ）に示すように、友人関係要求確認画面１２００には、携帯端末３のユーザが近くにいることを表して携帯端末３のユーザと友人関係になることを要求するか否かを確認するための文字表示１２０１が表示される。さらに、友人関係要求確認画面１２００には、友人関係要求確認を終了するための「閉じる」ボタン１２０２と、携帯端末３のユーザの詳細を表す要求先友人詳細画面を表示するための「詳細」ボタン１２０３とが表示される。
【０１０３】
図１２（ｂ）は、要求先友人詳細画面の一例を示す。図１２（ｂ）に示すように、要求先友人詳細画面１２１０には、携帯端末３のユーザのユーザ名、性別、年齢、居住地、職種を表示する文字表示１２１１と、ユーザプロファイル情報１２１２とが表示される。ユーザプロファイル情報１２１２のうち、携帯端末２のユーザプロファイル情報と一致したものについては囲み枠が表示される。さらに、要求先友人詳細画面１２１０には、友人関係要求確認画面１２００に戻るための「戻る」ボタン１２１３と、表示されているユーザと友人関係になることを要求するための「リクエストする」ボタン１２１４とが表示される。要求先友人詳細画面１２１０は、管理サーバ５から受信した結果信号に含まれる各情報に基づいて生成される。なお、管理サーバ５が、要求先友人詳細画面１２１０を生成するための友人詳細画面データを生成して携帯端末２に送信してもよい。その場合、携帯端末２は、要求先友人詳細画面１２１０を表示する際、管理サーバ５に対して要求先友人詳細画面データの取得を要求し、管理サーバ５から受信した要求先友人詳細画面データに基づいて要求先友人詳細画面１２１０を生成して表示する。
【０１０４】
次に、操作部２０３は、ユーザの指示を受け付ける（ステップＳ５０５）。
【０１０５】
操作部２０３を用いてユーザにより、「リクエストする」ボタン１２１４がタップされることなく「閉じる」ボタン１２０２がタップされた場合、友人関係要求部２２４は、友人関係が要求されなかったと判定する（ステップＳ５０６−Ｎｏ）。この場合、友人関係要求部２２４は、友人関係を要求しないことに決定し（ステップＳ５０２）、友人関係要求処理を終了する（ステップＳ５０３）。この場合、図７のステップＳ２１２に示した友人関係要求信号の送信処理は実行されない。
【０１０６】
一方、操作部２０３を用いてユーザにより、「リクエストする」ボタン１２１４がタップされた上で「閉じる」ボタン１２０２がタップされた場合、友人関係要求部２２４は、友人関係が要求されたと判定する（ステップＳ５０６−Ｙｅｓ）。この場合、友人関係要求部２２４は、友人関係を要求することに決定し（ステップＳ５０７）、一連のステップを終了する。
【０１０７】
なお、携帯端末２の代わりに固定端末が携帯端末３と近距離無線通信を行った場合、友人関係要求確認画面を表示することなく、友人関係を要求することに自動的に決定してもよい。
【０１０８】
図１３は、友人関係許可判定処理の動作フローの一例を示すフローチャートである。
【０１０９】
図１３に示す動作のフローは、図７に示すフローチャートのステップＳ２１４において実行される。
【０１１０】
最初に、携帯端末３の友人関係応答部２３２は、携帯端末２のユーザと友人関係になることを許可するか否かを携帯端末３のユーザに確認するための友人関係許可確認画面を表示部２０４に表示する（ステップＳ６０１）。
【０１１１】
図１４（ａ）は、友人関係許可確認画面の一例を示す。図１４（ａ）に示すように、友人関係許可確認画面１４００には、携帯端末２のユーザから友人関係になることが要求されていることを表す文字表示１４０１が表示される。さらに、友人関係許可確認画面１４００には、友人関係許可確認を終了するための「閉じる」ボタン１４０２と、携帯端末２のユーザの詳細を表す要求元友人詳細画面を表示するための「詳細」ボタン１４０３とが表示される。
【０１１２】
図１４（ｂ）は、要求元友人詳細画面の一例を示す。図１４（ｂ）に示すように、要求元友人詳細画面１４１０には、携帯端末２のユーザのユーザ名、性別、年齢、居住地、職種を表示する文字表示１４１１と、ユーザプロファイル情報１４１２とが表示される。ユーザプロファイル情報１４１２のうち、携帯端末３のユーザプロファイル情報と一致したものについては囲み枠が表示される。さらに、要求元友人詳細画面１４１０には、友人関係許可確認画面１４００に戻るための「戻る」ボタン１４１３と、表示されているユーザと友人関係になることを許可するための「許可する」ボタン１４１４と、拒否するための「拒否する」ボタン１４１５が表示される。要求元友人詳細画面１４１０は、管理サーバ５から受信した友人関係要求信号に含まれる各情報に基づいて生成される。なお、図１２（ｂ）の要求先友人詳細画面１２１０と同様に、管理サーバ５が、要求元友人詳細画面１４１０を生成するための要求元友人詳細画面データを生成して携帯端末２に送信し、携帯端末２は、管理サーバ５から受信した要求元友人詳細画面データに基づいて要求元友人詳細画面１４１０を生成して表示してもよい。
【０１１３】
次に、操作部２０３は、ユーザの指示を受け付ける（ステップＳ６０２）。
【０１１４】
操作部２０３を用いてユーザにより、「許可する」ボタン１４１４がタップされることなく「閉じる」ボタン１４０２がタップされた場合、又は、「拒否する」ボタン１４１５がタップされた上で「閉じる」ボタン１４０２がタップされた場合、友人関係応答部２３２は、友人関係が拒否されたと判定する（ステップＳ６０３−Ｎｏ）。この場合、友人関係応答部２３２は、友人関係を拒否することに決定し（ステップＳ６０４）、一連のステップを終了する。
【０１１５】
一方、操作部２０３を用いてユーザにより、「許可する」ボタン１４１５がタップされた上で「閉じる」ボタン１４０２がタップされた場合、友人関係応答部２３２は、友人関係が許可されたと判定する（ステップＳ６０３−Ｙｅｓ）。この場合、友人関係応答部２３２は、友人関係を許可することに決定し（ステップＳ６０５）、一連のステップを終了する。
【０１１６】
図１５は、通信システム１によるコンテンツ登録処理の動作シーケンスの一例を示す。このコンテンツ登録処理は、携帯端末２について登録されたコンテンツを携帯端末３が取得できるように登録する処理である。
【０１１７】
以下に説明する動作シーケンスは、各装置において予め各装置の記憶部に記憶されているプログラムに基づき主に各装置の制御部により各装置の各要素と協働して実行される。
【０１１８】
最初に、携帯端末２の操作部２０３は、ユーザによる、友人関係にある他の携帯端末のユーザを一覧表示する友人一覧画面の表示指示を受け付ける（ステップＳ７０１）。
【０１１９】
次に、設定要求部２４３は、操作部２０３が友人一覧画面の表示指示を受け付けると、友人一覧画面要求信号を無線通信部２０１を介して管理サーバ５に送信する（ステップＳ７０２）。友人一覧画面要求信号は、友人一覧画面を生成するための友人一覧画面データの取得を要求する信号である。友人一覧画面要求信号には、携帯端末２のユーザのユーザＩＤが含まれる。
【０１２０】
次に、管理サーバ５のコンテンツ管理部５１７は、サーバ通信部５０１を介して携帯端末２から友人一覧画面要求信号を受信すると、友人一覧画面データを生成する（ステップＳ７０３）。コンテンツ管理部５１７は、友人関係管理テーブルから、受信した友人一覧画面要求信号に含まれるユーザＩＤと友人関係にあるユーザＩＤを抽出し、ユーザ管理テーブルから、抽出したユーザＩＤと関連付けられた各情報を読み出し、友人一覧画面データを生成する。
【０１２１】
次に、コンテンツ管理部５１７は、生成した友人一覧画面データをサーバ通信部５０１を介して携帯端末２に送信する（ステップＳ７０４）。
【０１２２】
次に、携帯端末２の設定要求部２４３は、無線通信部２０１を介して管理サーバ５から友人一覧画面データを受信すると、受信した友人一覧画面データに基づいて友人一覧画面を生成して表示部２０４に表示する（ステップＳ７０５）。
【０１２３】
図１６（ａ）は、友人一覧画面の一例を示す。図１６（ａ）に示すように、友人一覧画面１６００には、友人関係にある他の携帯端末のユーザ毎に、そのユーザのユーザ名、性別、年齢、居住地、職種を表示する文字表示１６０１と、各ユーザの詳細を表す友人詳細画面を表示するための「詳細」ボタン１６０２とが表示される。さらに、友人一覧画面１６００には、友人一覧画面の表示を終了するための「終了」ボタン１６０３が表示される。このように、許可信号を送信した携帯端末３のユーザが、携帯端末２のユーザの友人関係にあるユーザとして表示される。
【０１２４】
次に、操作部２０３は、ユーザの「詳細」ボタン１６０２のタップ操作による友人詳細画面の表示指示を受け付ける（ステップＳ７０６）。
【０１２５】
次に、設定要求部２４３は、操作部２０３が友人詳細画面の表示指示を受け付けると、友人詳細画面要求信号を無線通信部２０１を介して管理サーバ５に送信する（ステップＳ７０７）。友人詳細画面要求信号は、表示指示がされたユーザの詳細を表す友人詳細画面を生成するための友人詳細画面データの取得を要求する信号である。友人詳細画面要求信号には、友人詳細画面の表示指示がされた携帯端末のユーザのユーザＩＤが含まれる。
【０１２６】
次に、管理サーバ５のコンテンツ管理部５１７は、サーバ通信部５０１を介して携帯端末２から友人詳細画面要求信号を受信すると、友人詳細画面データを生成する（ステップＳ７０８）。コンテンツ管理部５１７は、ユーザ管理テーブルから、受信した友人詳細画面要求信号に含まれるユーザＩＤと関連付けられた各情報を読み出し、友人詳細画面データを生成する。
【０１２７】
次に、コンテンツ管理部５１７は、生成した友人詳細画面データをサーバ通信部５０１を介して携帯端末２に送信する（ステップＳ７０９）。
【０１２８】
次に、携帯端末２の設定要求部２４３は、無線通信部２０１を介して管理サーバ５から友人詳細画面データを受信すると、受信した友人詳細画面データに基づいて友人詳細画面を生成して表示部２０４に表示する（ステップＳ７１０）。
【０１２９】
図１６（ｂ）は、友人詳細画面の一例を示す。図１６（ｂ）に示すように、友人詳細画面１６１０には、指定されたユーザのユーザ名、性別、年齢、居住地、職種を表示する文字表示１６１１と、ユーザプロファイル情報１６１２とが表示される。ユーザプロファイル情報１６１２のうち、携帯端末２のユーザプロファイル情報と一致したものについては囲み枠が表示される。さらに、友人詳細画面１６１０には、友人一覧画面１６００に戻るための「戻る」ボタン１６１３と、登録用コンテンツ一覧画面を表示するための「コンテンツ一覧」ボタン１６１４とが表示される。登録用コンテンツ一覧画面は、他の携帯端末が取得できるように登録するコンテンツを選択するために、携帯端末２について登録されたコンテンツの一覧を表す画面である。
【０１３０】
次に、操作部２０３は、ユーザの「コンテンツ一覧」ボタン１６１４のタップ操作による登録用コンテンツ一覧画面の表示指示を受け付ける（ステップＳ７１１）。
【０１３１】
次に、設定要求部２４３は、操作部２０３が登録用コンテンツ一覧画面の表示指示を受け付けると、登録用コンテンツ一覧画面要求信号を無線通信部２０１を介して管理サーバ５に送信する（ステップＳ７１２）。登録用コンテンツ一覧画面要求信号は、登録用コンテンツ一覧画面を生成するための登録用コンテンツ一覧画面データの取得を要求する信号である。登録用コンテンツ一覧画面要求信号には、携帯端末２のユーザのユーザＩＤが含まれる。
【０１３２】
次に、管理サーバ５のコンテンツ管理部５１７は、サーバ通信部５０１を介して携帯端末２から登録用コンテンツ一覧画面要求信号を受信すると、登録用コンテンツ一覧画面データを生成する（ステップＳ７１３）。コンテンツ管理部５１７は、コンテンツ管理テーブルから、携帯端末２のユーザのユーザＩＤが登録ユーザＩＤ又は共有ユーザＩＤであるコンテンツの各情報を読み出し、登録用コンテンツ一覧画面データを生成する。
【０１３３】
次に、コンテンツ管理部５１７は、生成した登録用コンテンツ一覧画面データをサーバ通信部５０１を介して携帯端末２に送信する（ステップＳ７１４）。
【０１３４】
次に、携帯端末２の設定要求部２４３は、無線通信部２０１を介して管理サーバ５から登録用コンテンツ一覧画面データを受信すると、受信した登録用コンテンツ一覧画面データに基づいて登録用コンテンツ一覧画面を生成して表示部２０４に表示する（ステップＳ７１５）。
【０１３５】
図１６（ｃ）は、登録用コンテンツ一覧画面の一例を示す。図１６（ｃ）に示すように、登録用コンテンツ一覧画面１６２０には、コンテンツごとに、そのコンテンツのタイトル及び内容等を表示する文字表示１６２１と、そのコンテンツを指定されたユーザと共有するための「共有」ボタン１６２２と、そのコンテンツを削除するための「削除」ボタン１６２３とが表示される。さらに、登録用コンテンツ一覧画面１６２０には、友人詳細画面１６１０に戻るための「戻る」ボタン１６２４が表示される。
【０１３６】
次に、操作部２０３は、ユーザの「共有」ボタン１６２２のタップ操作によるコンテンツ共有指示を受け付ける（ステップＳ７１６）。
【０１３７】
次に、設定要求部２４３は、操作部２０３がコンテンツ共有指示を受け付けると、共有指示を受け付けたコンテンツを携帯端末３が取得できるように設定することを要求するコンテンツ設定要求信号を無線通信部２０１を介して管理サーバ５に送信する（ステップＳ７１７）。即ち、設定要求部２４３は、操作部２０３を用いたユーザの指示に従って、携帯端末２のコンテンツについてのコンテンツ設定要求信号を管理サーバ５に送信する。コンテンツ設定要求信号には、携帯端末２及び携帯端末３のユーザのユーザＩＤと、共有指示を受け付けたコンテンツのコンテンツＩＤと、現在時刻を示す時刻情報とが含まれる。
【０１３８】
次に、管理サーバ５のコンテンツ管理部５１７は、サーバ通信部５０１を介して携帯端末２からコンテンツ設定要求信号を受信すると、コンテンツ管理処理を実施する（ステップＳ７１８）。コンテンツ管理処理は、携帯端末２について管理サーバ５に登録されたコンテンツを他の携帯端末３が取得できるように登録する処理である。コンテンツ管理部５１７は、受信したコンテンツ設定要求信号に基づいて、コンテンツ管理処理を実施する。コンテンツ管理処理の詳細については、後述する。
【０１３９】
次に、コンテンツ管理部５１７は、コンテンツ管理処理において、コンテンツ設定要求信号で指定されたコンテンツを携帯端末３が取得できるように設定したか否かを示す設定応答信号をサーバ通信部５０１を介して携帯端末２に送信する（ステップＳ７１９）。以上により、コンテンツ登録処理は終了する。
【０１４０】
図１７は、管理サーバ５によるコンテンツ管理処理の動作フローの一例を示すフローチャートである。図１７に示す動作のフローは、図１５に示すフローチャートのステップＳ７１８において実行される。
【０１４１】
最初に、管理サーバ５のコンテンツ管理部５１７は、携帯端末２のユーザと携帯端末３のユーザの間に友人関係が設定されているか否かを判定する（ステップＳ８０１）。コンテンツ管理部５１７は、友人関係管理テーブルにおいて、携帯端末２のユーザのユーザＩＤと携帯端末３のユーザのユーザＩＤが関連付けて記憶され、且つその状態が「承認」である場合、携帯端末２のユーザと携帯端末３のユーザの間に友人関係が設定されていると判定する。一方、コンテンツ管理部５１７は、携帯端末２のユーザのユーザＩＤと携帯端末３のユーザのユーザＩＤが関連付けて記憶されていない場合、又は、その状態が「承認」でない場合、友人関係が設定されていないと判定する。
【０１４２】
次に、コンテンツ管理部５１７は、友人関係が設定されていないと判定すると（ステップＳ８０１−Ｎｏ）、特に処理を行わず、一連のステップを終了する。一方、コンテンツ管理部５１７は、友人関係が設定されていると判定すると（ステップＳ８０１−Ｙｅｓ）、コンテンツ設定要求信号に含まれるコンテンツＩＤに対応するコンテンツを携帯端末３が取得できるように設定し（ステップＳ８０２）、一連のステップを終了する。コンテンツ管理部５１７は、コンテンツ管理テーブルにおいて、そのコンテンツＩＤに関連付けられる共有ユーザ情報の共有ユーザＩＤ、提供ユーザＩＤ及び共有日時として、コンテンツ設定要求信号に含まれる携帯端末３のユーザＩＤ、携帯端末２のユーザＩＤ及び時刻情報をそれぞれ記憶する。なお、この場合、コンテンツ管理部５１７は、共有ユーザ情報の共有場所に、遠隔地から共有設定がされた旨を記憶する。
【０１４３】
このように、コンテンツ管理部５１７は、携帯端末２のユーザと携帯端末３のユーザが友人関係にあることを条件に、携帯端末２について登録されたコンテンツを他の携帯端末３が取得できるように登録する。また、コンテンツ管理部５１７は、携帯端末２のユーザと携帯端末３のユーザが離れた位置にいる場合でも、携帯端末２について登録されたコンテンツを他の携帯端末３が取得できるように設定するため、携帯端末２は、任意の位置からコンテンツ登録処理を実行することができる。
【０１４４】
図１８は、通信システム１によるコンテンツ取得処理の動作シーケンスの一例を示す。このコンテンツ取得処理では、携帯端末２について登録されたコンテンツを携帯端末３が取得する例について説明する。
【０１４５】
以下に説明する動作シーケンスは、各装置において予め各装置の記憶部に記憶されているプログラムに基づき主に各装置の制御部により各装置の各要素と協働して実行される。
【０１４６】
最初に、携帯端末３の操作部２０３は、ユーザによる取得用コンテンツ一覧画面の表示指示を受け付ける（ステップＳ９０１）。取得用コンテンツ一覧画面は、携帯端末３が取得するコンテンツを選択するために、携帯端末３について登録されたコンテンツの一覧を表す画面である。
【０１４７】
次に、コンテンツ受信部２４４は、操作部２０３が取得用コンテンツ一覧画面の表示指示を受け付けると、取得用コンテンツ一覧画面要求信号を無線通信部２０１を介して管理サーバ５に送信する（ステップＳ９０２）。取得用コンテンツ一覧画面要求信号は、取得用コンテンツ一覧画面を生成するための取得用コンテンツ一覧画面データの取得を要求する信号である。取得用コンテンツ一覧画面要求信号には、携帯端末３のユーザのユーザＩＤが含まれる。
【０１４８】
次に、管理サーバ５のコンテンツ管理部５１７は、サーバ通信部５０１を介して携帯端末３から取得用コンテンツ一覧画面要求信号を受信すると、取得用コンテンツ一覧画面データを生成する（ステップＳ９０３）。コンテンツ管理部５１７は、コンテンツ管理テーブルから、登録ユーザＩＤ又は共有ユーザＩＤが、受信した取得用コンテンツ一覧画面要求信号に含まれるユーザＩＤと一致するコンテンツの各情報を読み出し、取得用コンテンツ一覧画面データを生成する。
【０１４９】
次に、コンテンツ管理部５１７は、生成した取得用コンテンツ一覧画面データをサーバ通信部５０１を介して携帯端末３に送信する（ステップＳ９０４）。
【０１５０】
次に、携帯端末３のコンテンツ受信部２４４は、無線通信部２０１を介して管理サーバ５から取得用コンテンツ一覧画面データを受信すると、受信した取得用コンテンツ一覧画面データに基づいて取得用コンテンツ一覧画面を生成して表示部２０４に表示する（ステップＳ９０５）。
【０１５１】
図１９（ａ）は、取得用コンテンツ一覧画面の一例を示す。図１９（ａ）に示すように、取得用コンテンツ一覧画面１９００には、コンテンツごとに、そのコンテンツのタイトル及び内容等を表示する文字表示１９０１と、そのコンテンツの詳細を表示するコンテンツ詳細画面を表示するための「詳細」ボタン１９０２と、そのコンテンツを削除するための「削除」ボタン１９０３とが表示される。なお、そのコンテンツが他の携帯端末により登録され、携帯端末３が取得できるように設定されたものである場合、「削除」ボタン１９０３の代わりに「解除」ボタン１９０４が表示される。さらに、取得用コンテンツ一覧画面１９００には、表示を終了するための「終了」ボタン１９０５が表示される。なお、取得用コンテンツ一覧画面１９００には、携帯端末３のユーザが登録したコンテンツ「北海道観光ガイド」と、携帯端末２が図１５のコンテンツ登録処理を実行することにより登録された、携帯端末２からのコンテンツ「沖縄観光ガイド」とが表示されている。
【０１５２】
次に、操作部２０３は、ユーザの「詳細」ボタン１９０２のタップ操作によるコンテンツ詳細画面の表示指示を受け付ける（ステップＳ９０６）。
【０１５３】
次に、コンテンツ受信部２４４は、操作部２０３がコンテンツ詳細画面の表示指示を受け付けると、取得要求信号を無線通信部２０１を介して管理サーバ５に送信する（ステップＳ９０７）。即ち、コンテンツ受信部２４４は、操作部２０３を用いたユーザの指示に従って、取得要求信号を管理サーバ５に送信する。取得要求信号は、表示指示を受け付けたコンテンツを取得することを要求する信号である。取得要求信号には、携帯端末３のユーザのユーザＩＤ、及びコンテンツ詳細画面の表示指示がされたコンテンツのコンテンツＩＤが含まれる。この取得要求信号で指定されるコンテンツには、携帯端末３が登録したコンテンツと、携帯端末３が取得できるように設定された、他の携帯端末２が登録したコンテンツとが含まれる。
【０１５４】
次に、管理サーバ５のコンテンツ送信部５１８は、サーバ通信部５０１を介して携帯端末３から取得要求信号を受信すると、送信判定処理を実施する（ステップＳ９０８）。送信判定処理は、取得要求信号において指定されたコンテンツを携帯端末３に送信するか否かを判定する処理である。送信判定処理の詳細については、後述する。
【０１５５】
次に、管理サーバ５のコンテンツ送信部５１８は、送信判定処理において、コンテンツを送信すると判定した場合、取得要求信号で指定されたコンテンツを含むコンテンツ詳細画面データを生成する（ステップＳ９０９）。コンテンツ送信部５１８は、コンテンツ管理テーブルから、受信したコンテンツ詳細画面要求信号に含まれるコンテンツＩＤと関連付けられた各情報を読み出し、コンテンツ詳細画面データを生成する。一方、コンテンツ送信部５１８は、送信判定処理において、コンテンツを送信しないと判定した場合、コンテンツを送信できない旨を示すコンテンツ詳細画面データを生成する。
【０１５６】
次に、コンテンツ送信部５１８は、生成したコンテンツ詳細画面データをサーバ通信部５０１を介して携帯端末３に送信する（ステップＳ９１０）。
【０１５７】
次に、携帯端末３のコンテンツ受信部２４４は、無線通信部２０１を介して管理サーバ５からコンテンツ詳細画面データを受信すると、受信したコンテンツ詳細画面データに基づいてコンテンツ詳細画面を生成して表示部２０４に表示する（ステップＳ９１１）。以上により、コンテンツ取得処理は終了する。
【０１５８】
図１９（ｂ）は、コンテンツ詳細画面の一例を示す。図１９（ｂ）に示すように、コンテンツ詳細画面１９１０には、そのコンテンツのタイトル１９１１と、詳細な内容１９１２と、取得用コンテンツ一覧画面１９００に戻るための「戻る」ボタン１９１３が表示される。
【０１５９】
なお、コンテンツ受信部２４４は、コンテンツ詳細画面データを受信したときに、受信したコンテンツ詳細画面データに含まれるコンテンツについて、表示部２０４への表示以外の使用を制限するように管理してもよい。さらに、コンテンツ受信部２４４は、コンテンツ詳細画面データの表示を終了させたタイミングでそのコンテンツを削除してもよい。これらにより、特定のユーザが作成したデータを他のユーザが二次利用することを防止することができる。また、管理サーバ５に登録されているコンテンツを削除することにより、各携帯端末がそのコンテンツを表示できなくなり、コンテンツの一元管理が可能となる。
【０１６０】
また、管理サーバ５のコンテンツ送信部５１８は、取得要求信号を受信したときに、コンテンツ詳細画面データを送信するのではなく、そのコンテンツが格納されているアドレスを送信してもよい。その場合、コンテンツ受信部２４４は、受信したアドレスにアクセスすることにより、そのコンテンツを受信して表示部２０４に表示する。
【０１６１】
図２０は、管理サーバ５による送信判定処理の動作フローの一例を示すフローチャートである。図２０に示す動作のフローは、図１８に示すフローチャートのステップＳ９０８において実行される。
【０１６２】
最初に、管理サーバ５のコンテンツ送信部５１８は、受信した取得要求信号に含まれるコンテンツＩＤに対応するコンテンツが、携帯端末３により登録されたか又は携帯端末３が取得できるように設定されているか否かを判定する（ステップＳ１００１）。コンテンツ送信部５１８は、コンテンツ管理テーブルにおいて、受信した取得要求信号に含まれるコンテンツＩＤに関連付けられた登録ユーザＩＤ及び共有ユーザＩＤのうちの何れかが、携帯端末３のユーザＩＤと一致する場合、そのコンテンツは携帯端末３により登録されたか又は携帯端末３が取得できるように設定されていると判定する。一方、コンテンツ送信部５１８は、コンテンツ管理テーブルにおいて、受信した取得要求信号に含まれるコンテンツＩＤに関連付けられた登録ユーザＩＤ及び共有ユーザＩＤの何れも、携帯端末３のユーザＩＤと一致しない場合、そのコンテンツは携帯端末３により登録されていず且つ携帯端末３が取得できるように設定されていないと判定する。
【０１６３】
次に、コンテンツ送信部５１８は、そのコンテンツが携帯端末３により登録されていず且つ携帯端末３が取得できるように設定されていないと判定すると（ステップＳ１００１−Ｎｏ）、コンテンツを送信しないことに決定し（ステップＳ１００２）、一連のステップを終了する。
【０１６４】
一方、コンテンツ送信部５１８は、そのコンテンツが携帯端末３により登録されたか又は携帯端末３が取得できるように設定されていると判定すると（ステップＳ１００１−Ｙｅｓ）、コンテンツを送信することに決定する（ステップＳ１００３）。
【０１６５】
次に、特典付与部５１９は、携帯端末２に送信するコンテンツの提供元である携帯端末３に特典を付与し（ステップＳ１００３）、一連のステップを終了する。特典付与部５１９は、ユーザ管理テーブルにおいて、携帯端末３のユーザのユーザＩＤと関連付けて記憶されているポイントに所定値を加える。このポイントにより、携帯端末３のユーザは、商品、クーポン等の特典を特定の事業者から得ることができる。
【０１６６】
なお、特典付与部５１９は、コンテンツを他の携帯端末に送信する場合に代えて、又は加えて、コンテンツを他の携帯端末が取得できるように設定した場合に、そのコンテンツの提供元である携帯端末に特典を付与してもよい。その場合、特典付与部５１９は、図１７のステップＳ８０２の直後に、携帯端末２に特典を付与する。
【０１６７】
図２１は、通信システム１によるコンテンツ削除処理の動作シーケンスの一例を示す。このコンテンツ削除処理では、携帯端末３が、登録したコンテンツを削除する例について説明する。
【０１６８】
以下に説明する動作シーケンスは、各装置において予め各装置の記憶部に記憶されているプログラムに基づき主に各装置の制御部により各装置の各要素と協働して実行される。なお、ステップＳ１１０１〜Ｓ１１０５の処理は、図１８に示したステップＳ９０１〜Ｓ９０５の処理と同様であるため、説明を省略し、以下では、ステップＳ１１０６〜Ｓ１１０８のみについて説明する。
【０１６９】
ステップＳ１１０６において、携帯端末３の操作部２０３は、ユーザの「削除」ボタン１９０３のタップ操作によるコンテンツの削除指示を受け付ける（ステップＳ１１０６）。
【０１７０】
次に、コンテンツ受信部２４４は、操作部２０３がコンテンツの削除指示を受け付けると、削除要求信号を無線通信部２０１を介して管理サーバ５に送信する（ステップＳ１１０７）。即ち、コンテンツ受信部２４４は、操作部２０３を用いたユーザの指示に従って、削除要求信号を管理サーバ５に送信する。削除要求信号は、削除指示を受け付けた携帯端末３のコンテンツを削除することを要求する信号である。削除要求信号には、携帯端末３のユーザのユーザＩＤ、及び削除指示がされたコンテンツのコンテンツＩＤが含まれる。
【０１７１】
次に、管理サーバ５のコンテンツ管理部５１７は、サーバ通信部５０１を介して携帯端末２から削除要求信号を受信すると、削除処理を実施し（ステップＳ１１０８）、一連のステップを終了する。
【０１７２】
図２２は、管理サーバ５による削除処理の動作フローの一例を示すフローチャートである。図２２に示す動作のフローは、図２１に示すフローチャートのステップＳ１１０８において実行される。
【０１７３】
最初に、管理サーバ５のコンテンツ管理部５１７は、受信した削除要求信号に含まれるコンテンツＩＤに対応するコンテンツが携帯端末３が登録したコンテンツであるか否かを判定する（ステップＳ１２０１）。コンテンツ管理部５１７は、コンテンツ管理テーブルにおいて、受信した削除要求信号に含まれるコンテンツＩＤに関連付けられた登録ユーザＩＤが、携帯端末３のユーザＩＤと一致する場合、そのコンテンツは携帯端末３が登録したコンテンツであると判定する。一方、コンテンツ送信部５１８は、コンテンツ管理テーブルにおいて、受信した削除要求信号に含まれるコンテンツＩＤに関連付けられた登録ユーザＩＤが、携帯端末３のユーザＩＤと一致しない場合、そのコンテンツは携帯端末３が登録したコンテンツでないと判定する。
【０１７４】
コンテンツ管理部５１７は、そのコンテンツが携帯端末３が登録したコンテンツである場合（ステップＳ１２０１−Ｙｅｓ）、そのコンテンツを削除する（ステップＳ１２０２）。コンテンツ管理部５１７は、コンテンツ管理テーブルからそのコンテンツに関する全ての情報を削除することにより、そのコンテンツ自体を削除する。一方、コンテンツ管理部５１７は、そのコンテンツが携帯端末３が登録したコンテンツでない場合（ステップＳ１２０１−Ｎｏ）、そのコンテンツを削除しない（ステップＳ１２０３）。即ち、コンテンツ管理部５１７は、そのコンテンツを登録した携帯端末以外の携帯端末から削除要求信号を受信してもそのコンテンツを削除しない。
【０１７５】
これにより、特定のコンテンツを登録した携帯端末のユーザは、そのコンテンツに問題があることが判明した場合、そのコンテンツ自体を削除し、他の携帯端末から閲覧できないようにすることができる。また、そのコンテンツを登録した携帯端末以外の携帯端末からそのコンテンツが削除されることを防止することができる。
【０１７６】
また、コンテンツ管理部５１７は、管理サーバ５の管理者による、管理サーバ５の操作部（不図示）を用いた指示に従って、コンテンツを削除してもよい。これにより、不適切なコンテンツが登録された場合には、管理者がそのコンテンツを削除することができる。
【０１７７】
図２３は、通信システム１によるコンテンツ解除処理の動作シーケンスの一例を示す。このコンテンツ解除処理では、携帯端末３が、取得できるように設定されたコンテンツを取得できないように設定する例について説明する。
【０１７８】
以下に説明する動作シーケンスは、各装置において予め各装置の記憶部に記憶されているプログラムに基づき主に各装置の制御部により各装置の各要素と協働して実行される。なお、ステップＳ１３０１〜Ｓ１３０５の処理は、図１８に示したステップＳ９０１〜Ｓ９０５の処理と同様であるため、説明を省略し、以下では、ステップＳ１３０６〜Ｓ１３０８のみについて説明する。
【０１７９】
ステップＳ１３０６において、携帯端末３の操作部２０３は、ユーザの「解除」ボタン１９０４のタップ操作によるコンテンツの解除指示を受け付ける（ステップＳ１３０６）。
【０１８０】
次に、コンテンツ受信部２４４は、操作部２０３がコンテンツの解除指示を受け付けると、解除要求信号を無線通信部２０１を介して管理サーバ５に送信する（ステップＳ１３０７）。即ち、コンテンツ受信部２４４は、操作部２０３を用いたユーザの指示に従って、解除要求信号を管理サーバ５に送信する。解除要求信号は、解除指示を受け付けた携帯端末３が取得できるように設定された他の携帯端末のコンテンツを、携帯端末３が取得できないように設定することを要求する信号である。解除要求信号には、携帯端末３のユーザのユーザＩＤ、及び解除指示がされたコンテンツのコンテンツＩＤが含まれる。
【０１８１】
次に、管理サーバ５のコンテンツ管理部５１７は、サーバ通信部５０１を介して携帯端末２から解除要求信号を受信すると、解除処理を実施し（ステップＳ１３０８）、一連のステップを終了する。
【０１８２】
図２４は、管理サーバ５による解除処理の動作フローの一例を示すフローチャートである。図２４に示す動作のフローは、図２３に示すフローチャートのステップＳ１３０８において実行される。
【０１８３】
最初に、管理サーバ５のコンテンツ管理部５１７は、受信した解除要求信号に含まれるコンテンツＩＤに対応するコンテンツが携帯端末３が取得できるように設定されたコンテンツであるか否かを判定する（ステップＳ１４０１）。コンテンツ管理部５１７は、コンテンツ管理テーブルにおいて、受信した解除要求信号に含まれるコンテンツＩＤに関連付けられた共有ユーザＩＤのうちの何れかが、携帯端末３のユーザＩＤと一致する場合、そのコンテンツは携帯端末３が取得できるように設定されたコンテンツであると判定する。一方、コンテンツ送信部５１８は、コンテンツ管理テーブルにおいて、受信した解除要求信号に含まれるコンテンツＩＤに関連付けられた共有ユーザＩＤのうちの何れも、携帯端末３のユーザＩＤと一致しない場合、そのコンテンツは携帯端末３が取得できるように設定されたコンテンツでないと判定する。
【０１８４】
コンテンツ管理部５１７は、そのコンテンツが携帯端末３が取得できるように設定されたコンテンツである場合（ステップＳ１４０１−Ｙｅｓ）、そのコンテンツを携帯端末３が取得できないように設定する（ステップＳ１４０２）。コンテンツ管理部５１７は、コンテンツ管理テーブルにおいて、そのコンテンツに関連付けられた共有ユーザ情報のうち、共有ユーザＩＤが携帯端末３のユーザＩＤである共有ユーザ情報を削除することにより、そのコンテンツを携帯端末３が取得できないように設定する。一方、コンテンツ管理部５１７は、そのコンテンツが携帯端末３が取得できるように設定されたコンテンツでない場合（ステップＳ１４０１−Ｎｏ）、そのコンテンツを携帯端末３が取得できないように設定しない（ステップＳ１４０３）。即ち、コンテンツ管理部５１７は、携帯端末３以外の携帯端末（そのコンテンツを登録した携帯端末２を含む）から解除要求信号を受信しても、携帯端末３がそのコンテンツを取得できないように設定しない。
【０１８５】
これにより、特定のコンテンツを取得可能に設定された携帯端末のユーザは、そのコンテンツが不要である場合、そのコンテンツを取得できないように設定することができる。また、一旦、取得可能に設定されたコンテンツを、他の携帯端末によって、取得できないように設定されることを防止することができる。
【０１８６】
以上、携帯端末２と携帯端末３と管理サーバ５の関係について説明してきたが、携帯端末２が登録したコンテンツを取得できるように設定された携帯端末３と、携帯端末４とが接近して近距離無線通信可能になった場合も上記と同様の処理が実施される。
【０１８７】
図２５（ａ）、（ｂ）は、携帯端末２、携帯端末３及び携帯端末４の関係について説明するための模式図である。図２５（ａ）に示すように、携帯端末２と携帯端末３が接近して近距離無線通信可能になった場合、図７、９〜１１、１３に示したシーケンス及びフローチャートに従って、携帯端末２が登録したコンテンツは、携帯端末３が取得できるように設定される。
【０１８８】
その後、図２５（ｂ）に示すように、携帯端末３が移動して携帯端末４と接近して近距離無線通信可能になった場合、図７、９〜１１、１３に示したシーケンス及びフローチャートに従って、携帯端末２が登録して、携帯端末３が取得できるように設定されたコンテンツは、さらに携帯端末４が取得できるように設定される。すなわち、管理サーバ５のサーバ通信部５０１は、携帯端末３から、携帯端末３のユーザＩＤと、携帯端末３が近距離無線通信により携帯端末４から受信した携帯端末４のユーザＩＤとを受信する。コンテンツプロファイル判定部５１３は、携帯端末３のコンテンツプロファイル情報と携帯端末４のユーザプロファイル情報とが一致するか否かを判定する。コンテンツ管理部５１７は、携帯端末３のコンテンツプロファイル情報と携帯端末４のユーザプロファイル情報とが一致した場合、携帯端末３のコンテンツプロファイル情報に関連付けられたコンテンツ、すなわち携帯端末２が登録したコンテンツを携帯端末４が取得できるように設定する。
【０１８９】
その後、携帯端末３、携帯端末４及び管理サーバ５の間で、図１５、１７、１８、２０〜２４に示したシーケンス及びフローチャートに従って、携帯端末２、携帯端末３及び管理サーバ５の間で実施される処理と同様の処理が実施される。
【０１９０】
このように、携帯端末２が登録したコンテンツを携帯端末２に接近した携帯端末３を介して、携帯端末３に接近した携帯端末４に伝搬させていくことが可能となり、さらに、携帯端末２〜４に接近した他の携帯端末へ伝搬させていくことが可能となる。
【０１９１】
以上説明してきたように、管理サーバ５は、携帯端末２から、携帯端末２のユーザ識別情報と、携帯端末２が近距離無線通信により受信した携帯端末３のユーザ識別情報とを受信すると、携帯端末２のコンテンツプロファイル情報と携帯端末３のユーザプロファイル情報とが一致するか否かを判定する。そして、一致した場合、管理サーバ５は、携帯端末２のコンテンツプロファイル情報に関連付けられたコンテンツを携帯端末３が取得できるように設定する。したがって、携帯端末３のユーザは、近くにいる携帯端末２が登録したコンテンツを取得することができる。また、コンテンツプロファイル情報が携帯端末３のユーザプロファイル情報と一致しないコンテンツは、携帯端末３が取得できるように設定されないので、携帯端末３のユーザは、趣味・嗜好等が合うコンテンツのみを適切に取得することが可能となる。
【０１９２】
また、管理サーバ５は、同様にして、携帯端末３が取得できるように設定されたコンテンツを、携帯端末３の近くにいる他の携帯端末も取得できるように順次設定していく。したがって、各コンテンツをそのコンテンツに興味があるさらに他のユーザに拡散していくことが可能となる。
【０１９３】
また、管理サーバ５は、携帯端末２のユーザプロファイル情報と携帯端末３のユーザプロファイル情報とが一致することを条件に、携帯端末２のユーザと携帯端末３のユーザの間に友人関係を設定する。そして、管理サーバ５は、携帯端末２のユーザと携帯端末３のユーザの間に友人関係が設定されていることを条件に、携帯端末２のコンテンツを携帯端末３が取得できるように設定する。したがって、ユーザプロファイル情報が一致する、趣味・嗜好等が合うユーザ間で、そのユーザプロファイル情報に対応するコンテンツを共有することができ、そのコンテンツを、趣味・嗜好等が合うさらに他のユーザに拡散していくことが可能となる。
【０１９４】
また、携帯端末２は、携帯端末２のユーザプロファイル情報と携帯端末３のユーザプロファイル情報とが一致しない場合は、友人関係要求確認画面を表示しない。したがって、携帯端末２のユーザは、趣味・嗜好等が合わない他の携帯端末のユーザとすれ違っても、友人関係を要求するか否かを確認する必要がなく、趣味・嗜好等が合うユーザとのみ友人関係を構築することができる。
【０１９５】
管理サーバ５は、携帯端末２のユーザと携帯端末３のユーザの間に友人関係が設定されている場合、携帯端末２と携帯端末３が近距離無線通信中であるか否かに関わらず、携帯端末２のコンテンツを携帯端末３が取得できるように設定する。したがって、例えば、携帯端末２のユーザは、友人関係にある携帯端末３のユーザがサッカー競技場にいる場合に、サッカーグッズの割引券等のコンテンツを、携帯端末３から離れた位置から携帯端末３のユーザが取得できるように設定することができる。このコンテンツは、携帯端末３が近距離無線通信を行うことにより、サッカー競技場にいる、サッカーに興味がある他の多くのユーザが取得できるようになり、携帯端末２のユーザは、離れた位置からこのコンテンツを拡散させることが可能となる。
【０１９６】
また、管理サーバ５は、コンテンツ管理テーブルにおいて、各コンテンツの共有ユーザＩＤ、提供ユーザＩＤ、共有ユーザがそのコンテンツを取得できるようになった共有場所及び共有日時を関連付けて記憶する。したがって、管理サーバ５の管理者は、各コンテンツが拡がっていく動線及び時間を把握することができ、各コンテンツを効率よく拡げていくための動線及び時間に関する情報をコンテンツの提供者に提供することができる。
【０１９７】
なお、本発明は、本実施形態に限定されるものではない。例えば、本実施形態では、携帯端末２は、操作部２０３を用いたユーザの指示に従って、ユーザ設定要求信号、コンテンツ設定要求信号、友人関係要求信号又は取得要求信号を管理サーバ５に送信する例について説明したが、携帯端末２は、各信号を自動的に管理サーバ５に送信してもよい。
【０１９８】
また、本実施形態では、近距離通信において検知した側の携帯端末２が管理サーバ５に判定要求信号を送信する例について説明したが、検知された側の携帯端末３が管理サーバ５に判定要求信号を送信してもよい。同様に、携帯端末３が友人関係要求信号を管理サーバ５に送信し、携帯端末２が友人関係許可判定処理を行って、許可信号又は拒否信号を管理サーバ５に送信してもよい。同様に、携帯端末３が図１５のコンテンツ登録処理を実施してもよく、携帯端末２が図１８のコンテンツ取得処理、図２１のコンテンツ削除処理及び図２３のコンテンツ解除処理を実施してもよい。
【０１９９】
また、管理サーバ５は、携帯端末２から登録された各コンテンツを解析して、コンテンツに含まれる用語から対応するコンテンツプロファイル情報を自動的に決定してもよい。また、携帯端末２が管理サーバ５にアクセスする際、管理サーバ５は、予め登録しておいたユーザＩＤ及びパスワードを用いて携帯端末２の認証処理を行うことにより、登録されるコンテンツの安全性を確保してもよい。また、管理サーバ５は、予め禁止用語等を設定しておき、コンテンツにその禁止用語が含まれるか否かを判定し、禁止用語が含まれるコンテンツの登録を禁止するようにしてもよい。
【０２００】
なお、本実施形態の端末として、携帯端末２の代わりに、ユーザにより携帯されて移動することができない固定端末が利用され、特定の店等に配置されてもよい。この固定端末を用いて、その店の広告、商品のカタログ、クーポン等を管理サーバ５に登録しておくことにより、他の携帯端末のユーザが来店した時に、固定端末が、来店したユーザの携帯端末と近距離無線通信を行って、各情報を来店したユーザに効率良く配布することができる。また、この固定端末を自動車等に配置して店の周辺を移動させることにより、店の周辺に住む他のユーザに各情報を効率良く配布することができる。
【０２０１】
当業者は、本発明の精神及び範囲から外れることなく、様々な変更、置換及び修正をこれに加えることが可能であることを理解されたい。
【符号の説明】
【０２０２】
１    通信システム
２、３    携帯端末
２０１    無線通信部
２０２    近距離無線通信部
２０３    操作部
２０４    表示部
２０５    記憶部
２２２    識別情報送信部
５    管理サーバ
５０１    サーバ通信部
５０２    サーバ記憶部
５１３    コンテンツプロファイル判定部
５１４    ユーザプロファイル判定部
５１５    結果信号送信部
５１６    友人関係管理部
５１７    コンテンツ管理部
５１８    コンテンツ送信部
５１９    特典付与部
【図１】
0005916778.tif 000002
【図２】
0005916778.tif 000003
【図３】
0005916778.tif 000004
【図４】
0005916778.tif 000005
【図５】
0005916778.tif 000006
【図６】
0005916778.tif 000007
【図７】
0005916778.tif 000008
【図８】
0005916778.tif 000009
【図９】
0005916778.tif 000010
【図１０】
0005916778.tif 000011
【図１１】
0005916778.tif 000012
【図１２】
0005916778.tif 000013
【図１３】
0005916778.tif 000014
【図１４】
0005916778.tif 000015
【図１５】
0005916778.tif 000016
【図１６】
0005916778.tif 000017
【図１７】
0005916778.tif 000018
【図１８】
0005916778.tif 000019
【図１９】
0005916778.tif 000020
【図２０】
0005916778.tif 000021
【図２１】
0005916778.tif 000022
【図２２】
0005916778.tif 000023
【図２３】
0005916778.tif 000024
【図２４】
0005916778.tif 000025
【図２５】
0005916778.tif 000026